(57)【要約】【課題】絶縁体及びポリマーコーティングされた絶縁体を提供する。【解決手段】絶縁体は、断熱ナノ粒子及び揮発温度で揮発するように構成されたバインダを含むことができる。絶縁体は、多孔質構造を形成する無機断熱材料も含むことができる。多孔質構造は、多孔質構造の外側のガスに比較して、絶縁体におけるガスの平均自由行程を減少させるように構成され得る。無機断熱材料及び無機断熱材料の表面に配置されたポリマーコーティングを含むポリマーコーティングされた絶縁体も提供される。絶縁体は断熱ナノ粒子及び乳白剤も含むことができる。乳白剤は、耐熱材料でコーティングされた炭素質材料を含み、炭素酸化温度で炭素質材料の酸化を抑制することができる。絶縁体又はポリマーコーティングされた絶縁体は、装置内のバッテリセル間又はバッテリセルブロック間に配置され得る。【選択図】図１Ａ
2020170707.tif 000002
【特許請求の範囲】
【請求項１】
絶縁体であって、
多孔質構造を有する無機断熱材料と、
揮発温度で揮発するバインダであって、前記バインダは前記多孔質構造内に配置された、バインダと、を備え、前記絶縁体は少なくとも１０体積％の前記バインダを含む、絶縁体。
【請求項２】
前記絶縁体の熱伝導率は前記バインダの揮発後０．０５Ｗ／ｍ・Ｋ未満である、請求項１に記載の絶縁体。
【請求項３】
前記絶縁体の熱伝導率は、前記バインダの揮発前に０．１Ｗ／ｍ・Ｋを超える、請求項１又は２に記載の絶縁体。
【請求項４】
前記多孔質構造は５００ｎｍ未満の平均細孔径を有する、請求項１〜３のいずれか１項に記載の絶縁体。
【請求項５】
前記無機断熱材料は、互いに接触して配置された断熱ナノ粒子を含み、前記多孔質構造を画定する、請求項１〜４のいずれか１項に記載の絶縁体。
【請求項６】
前記断熱ナノ粒子は１００ｎｍ未満の平均粒子径を有する、請求項５に記載の絶縁体。
【請求項７】
前記無機断熱材料はエアロゲル粒子を含む、請求項１〜４のいずれか１項に記載の絶縁体。
【請求項８】
前記無機断熱材料は、シリカ、カーボン、ジルコニア、チタニア、及びセラミックから選択される、請求項１〜７のいずれか１項に記載の絶縁体。
【請求項９】
前記無機断熱材料は、セラミックナノ粒子を含む、請求項１〜８のいずれか１項に記載の絶縁体。
【請求項１０】
前記セラミックナノ粒子は、シリカ、チタニア、アルミナ又はジルコニアを含む、請求項９に記載の絶縁体。
【請求項１１】
前記セラミックナノ粒子は、少なくとも１００ｍ2／ｇの平均ＢＥＴ表面積を有する、請求項９又は１０に記載の絶縁体。
【請求項１２】
前記セラミックナノ粒子はヒュームドシリカ又はシリカエアロゲルを含む、請求項９〜１１のいずれか１項に記載の絶縁体。
【請求項１３】
前記絶縁体は、少なくとも５体積％の前記無機断熱材料を備える、請求項１〜１２のいずれか１項に記載の絶縁体。
【請求項１４】
前記バインダ材料は有機材料又はシロキサン材料である、請求項１〜１３のいずれか１項に記載の絶縁体。
【請求項１５】
前記バインダは、ポリアルキルカーボネート、ポリアクリレート、ポリエーテル、ポリアリールカーボネート、ポリオール、ポリテトラフルオロペンチレン（ＰＴＦＥ）、ポリビニルアルコール、リグノスルホネート、メチルセルロース、パラフィン、シリコーン、オルガノシラン、デンプン、デキストリン、及びワックスエマルジョンから選択される材料である、請求項１〜１４のいずれか１項に記載の絶縁体。
【請求項１６】
前記バインダは、ポリプロピレンカーボネート、ポリエチレンカーボネート、及びポリヘキサンカーボネートから選択される、請求項１〜１５のいずれか１項に記載の絶縁体。
【請求項１７】
前記絶縁体は、少なくとも２０体積％の前記バインダを備える、請求項１〜１６のいずれか１項に記載の絶縁体。
【請求項１８】
前記絶縁体は、少なくとも５０体積％の前記バインダを備える、請求項１〜１７のいずれか１項に記載の絶縁体。
【請求項１９】
前記絶縁体は、少なくとも７０体積％の前記バインダを備える、請求項１〜１８のいずれか１項に記載の絶縁体。
【請求項２０】
前記バインダは１気圧で５００℃以下の揮発温度を有する、請求項１〜１９のいずれか１項に記載の絶縁体。
【請求項２１】
前記バインダは１気圧で４００℃以下の揮発温度を有する、請求項１〜２０のいずれか１項に記載の絶縁体。
【請求項２２】
前記バインダは１気圧で３００℃以下の揮発温度を有する、請求項１〜２１のいずれか１項に記載の絶縁体。
【請求項２３】
前記バインダは１気圧で２５０℃以下の揮発温度を有する、請求項１〜２２のいずれか１項に記載の絶縁体。
【請求項２４】
前記バインダは１気圧で２００℃以下の揮発温度を有する、請求項１〜２３のいずれか１項に記載の絶縁体。
【請求項２５】
前記バインダは１気圧で１７５℃以下の揮発温度を有する、請求項１〜２４のいずれか１項に記載の絶縁体。
【請求項２６】
前記バインダは１気圧で１５０℃以下の揮発温度を有する、請求項１〜２５のいずれか１項に記載の絶縁体。
【請求項２７】
前記絶縁体は、バインダ揮発後に少なくとも０．１５ｇ／ｍＬの密度を有する、請求項１〜２６のいずれか１項に記載の絶縁体。
【請求項２８】
前記絶縁体は、バインダ揮発後に０．４Ｗ／（ｍ＊Ｋ）以下の２５℃における熱伝導率を有する、請求項１〜２７のいずれか１項に記載の絶縁体。
【請求項２９】
前記無機断熱材料と接触する繊維状材料を備える、請求項１〜２８のいずれか１項に記載の絶縁体。
【請求項３０】
前記繊維状材料は、ガラス繊維、セラミック繊維、及びシリカ繊維から選択される、請求項２９に記載の絶縁体。
【請求項３１】
前記繊維状材料はガラス繊維を含む、請求項３０に記載の絶縁体。
【請求項３２】
２５０℃を超える温度で１×１０4ｍ-1を超える平均吸光係数を有する乳白剤を備える、請求項１〜３１のいずれか１項に記載の絶縁体。
【請求項３３】
前記乳白剤は、炭化ケイ素、チタニア、又は炭素質材料を含む、請求項３２に記載の絶縁体。
【請求項３４】
前記乳白剤は炭素質材料を含み、前記炭素質材料は、炭素酸化温度での酸化を抑制する耐熱材料でコーティングされている、請求項３２又は３３に記載の絶縁体。
【請求項３５】
前記炭素質材料は、黒鉛、カーボンブラック、カーボンナノチューブ、及びグラフェンから選択される、請求項３４に記載の絶縁体。
【請求項３６】
前記耐熱材料は、シリカ、アルミナ、チタニア、ニッケル、窒化ホウ素、ジルコニア、及びＡｌＦ3から選択される、請求項３４又は３５に記載の絶縁体。
【請求項３７】
耐熱材料でコーティングされた前記乳白剤の酸化温度は８００℃を超える、請求項３４〜３６のいずれか１項に記載の絶縁体。
【請求項３８】
前記炭素質材料は５：１を超えるアスペクト比を有する、請求項３４〜３７のいずれか１項に記載の絶縁体。
【請求項３９】
前記絶縁体は、前記バインダの揮発前に前記バインダの揮発後よりも大きな機械的強度を有する、請求項１〜３８のいずれか１項に記載の絶縁体。
【請求項４０】
前記機械的強度は曲げ強度であり、
前記曲げ強度は、前記バインダの揮発前に前記バインダの揮発後よりも少なくとも１０倍大きい、請求項３９に記載の絶縁体。
【請求項４１】
絶縁体であって、
多孔質構造を形成する無機断熱材料であって、前記多孔質構造は、前記多孔質構造の外側のガスと比較して、前記絶縁体内のガスの平均自由行程を減少させる、無機断熱材料であって、
前記無機断熱材料は、相互に接触して配置された複数の断熱ナノ粒子、前記絶縁体内に細孔を形成するナノ粒子の間の空間を含む、無機断熱材料と、
コア、前記コア上に配置された第１の層、及び前記第１の層上に配置された第２の層を含む各断熱ナノ粒子と、を備え、前記第１の層は絶縁層又は乳白剤のうちの１つであり、前記第２の層は前記絶縁層又は前記乳白剤の層の他方である、絶縁体。
【請求項４２】
前記絶縁体の熱伝導率は０．０５Ｗ／ｍ・Ｋ未満である、請求項４１に記載の絶縁体。
【請求項４３】
前記多孔質構造は５００ｎｍ未満の平均細孔径を有する、請求項４１又は４２に記載の絶縁体。
【請求項４４】
前記断熱ナノ粒子は１００ｎｍ未満の平均粒子径を有する、請求項４１〜４３のいずれか１項に記載の絶縁体。
【請求項４５】
前記断熱無機材料は前記絶縁体の少なくとも５体積％である、請求項４１〜４４のいずれか１項に記載の絶縁体。
【請求項４６】
２５０℃を超える温度で１×１０4ｍ-1を超える平均吸光係数を有する乳白剤を備える、請求項４１〜４５のいずれか１項に記載の絶縁体。
【請求項４７】
前記乳白剤は、炭化ケイ素、チタニア、又は炭素質材料を含む、請求項４１〜４６のいずれか１項に記載の絶縁体。
【請求項４８】
前記乳白剤は炭素質材料を含み、前記炭素質材料は、炭素酸化温度での酸化を抑制する耐熱材料でコーティングされる、請求項４７に記載の絶縁体。
【請求項４９】
前記炭素質材料は、黒鉛、カーボンブラック、カーボンナノチューブ、及びグラフェンから選択される、請求項４８に記載の絶縁体。
【請求項５０】
前記耐熱材料は、シリカ、アルミナ、チタニア、ニッケル、窒化ホウ素、ジルコニア、及びＡｌＦ3から選択される、請求項４８又は４９に記載の絶縁体。
【請求項５１】
前記耐熱材料でコーティングされた前記乳白剤の酸化温度は８００℃を超える、請求項４８〜５０のいずれか１項に記載の絶縁体。
【請求項５２】
前記耐熱材料でコーティングされた前記乳白剤の酸化温度は１０００℃を超える請求項４８〜５０のいずれか１項に記載の絶縁体。
【請求項５３】
前記炭素質材料は５：１を超えるアスペクト比を有する、請求項４８〜５１のいずれか１項に記載の絶縁体。
【請求項５４】
第１のバッテリセル及び第２のバッテリセルと、
前記第１のバッテリセルと前記第２のバッテリセルの間に配置された、請求項１〜５３のいずれか１項に記載の絶縁体と、を備える装置。
【請求項５５】
前記第１と第２のバッテリセルの間に配置された金属層を備える、請求項５４に記載の装置。
【請求項５６】
第１のバッテリセルと熱接触する第１の絶縁体と、
前記第１のバッテリセルの反対側で前記第１の絶縁体と熱接触する金属層と、
前記第１の絶縁体の反対側で前記金属層と熱接触する第２の絶縁体と、
前記金属層の反対側で前記第２の絶縁体と接触する第２のバッテリセルと、を備える装置。
【請求項５７】
無機断熱材料と、
前記無機断熱材料の表面上に配置され、前記無機断熱材料中に少なくとも平均１０ミクロン浸透しているポリマーコーティングと、を備えるポリマーコーティングされた絶縁体。
【請求項５８】
前記絶縁体の熱伝導率は０．０５Ｗ／ｍ・Ｋ未満である、請求項５７に記載のポリマーコーティングされた絶縁体。
【請求項５９】
前記無機断熱材料は、互いに接触して配置された断熱ナノ粒子を含み、多孔質構造を画定する、請求項５７又は５８に記載のポリマーコーティングされた絶縁体。
【請求項６０】
前記多孔質構造は５００ｎｍ未満の平均細孔径を有する、請求項５９に記載のポリマーコーティングされた絶縁体。
【請求項６１】
前記無機断熱材料は、エアロゲル粒子を含む、請求項５７又は５８に記載のポリマーコーティングされた絶縁体。
【請求項６２】
前記無機断熱材料は、シリカ、カーボン、ジルコニア、チタニア及びセラミックから選択される、請求項５７〜６１のいずれか１項に記載のポリマーコーティングされた絶縁体。
【請求項６３】
前記無機断熱材料はセラミックナノ粒子を含む、請求項５７に記載のポリマーコーティングされた絶縁体。
【請求項６４】
前記セラミックナノ粒子は、シリカ、チタニア、アルミナ又はジルコニアを含む、請求項６３に記載のポリマーコーティングされた絶縁体。
【請求項６５】
前記セラミックナノ粒子は、少なくとも１００ｍ2／ｇの平均ＢＥＴ表面積を有する、請求項６３又は６４に記載のポリマーコーティングされた絶縁体。
【請求項６６】
前記セラミックナノ粒子はヒュームドシリカ又はシリカエアロゲルを含む、請求項６３〜６５のいずれか１項に記載のポリマーコーティングされた絶縁体。
【請求項６７】
前記無機断熱材料は前記絶縁体の少なくとも５体積％である、請求項５７〜６６のいずれか１項に記載の絶縁体。
【請求項６８】
前記ポリマーコーティングは３００ミクロン以下の厚さを有する、請求項６３〜６７のいずれか１項に記載のポリマーコーティングされた絶縁体。
【請求項６９】
前記ポリマーコーティングは、ポリウレタン、エポキシ、ポリアクリレート、ポリエステル及びポリイミドから選択される材料である、請求項５７〜６８のいずれか１項に記載のポリマーコーティングされた絶縁体。
【請求項７０】
前記ポリマーコーティングは前記無機断熱材料中に少なくとも平均１０ミクロン浸透する、請求項５７〜６９のいずれか１項に記載のポリマーコーティングされた絶縁体。
【請求項７１】
２５０℃を超える温度で１×１０4ｍ-1を超える平均吸光係数を有する乳白剤を備える、請求項５７〜７０のいずれか１項に記載のポリマーコーティングされた絶縁体。
【請求項７２】
前記乳白剤は、炭化ケイ素、チタニア、又は炭素質材料を含む、請求項７１に記載のポリマーコーティングされた絶縁体。
【請求項７３】
前記乳白剤は炭素質材料を含み、前記炭素質材料は、炭素酸化温度での酸化を抑制する耐熱材料でコーティングされている、請求項７２に記載のポリマーコーティングされた絶縁体。
【請求項７４】
前記炭素質材料は、黒鉛、カーボンブラック、カーボンナノチューブ、及びグラフェンから選択される、請求項７３に記載のポリマーコーティングされた絶縁体。
【請求項７５】
前記耐熱材料は、シリカ、アルミナ、チタニア、ニッケル、窒化ホウ素、ジルコニア、及びＡｌＦ3から選択される、請求項７３又は７４に記載のポリマーコーティングされた絶縁体。
【請求項７６】
前記耐熱材料でコーティングされた前記乳白剤の酸化温度は８００℃を超える、請求項７３〜７５のいずれか１項に記載のポリマーコーティングされた絶縁体。
【請求項７７】
前記耐熱材料でコーティングされた前記乳白剤の酸化温度は１０００℃を超える、請求項７３〜７５のいずれか１項に記載のポリマーコーティングされた絶縁体。
【請求項７８】
前記炭素質材料は５：１を超えるアスペクト比を有する、請求項７３〜７７のいずれか１項に記載のポリマーコーティングされた絶縁体。
【請求項７９】
第１のバッテリセル及び第２のバッテリセルと、
前記第１のバッテリセルと前記第２のバッテリセルの間に配置された、請求項５７〜７５のいずれか１項に記載のポリマーコーティングされた絶縁体と、を備える装置。
【請求項８０】
前記第１と第２のバッテリセルの間に配置された金属層を備える、請求項７９に記載の装置。
【請求項８１】
前記第１のバッテリセルと熱接触する第１のポリマーコーティングされた絶縁体と、
前記第１のバッテリセルの反対側で前記第１のポリマーコーティングされた絶縁体と熱接触する金属層と、
前記第１のポリマーコーティングされた絶縁体の反対側で前記金属層と熱接触する第２のポリマーコーティングされた絶縁体と、
前記金属層の反対側で前記第２のポリマーコーティングされた絶縁体と熱接触する前記第２のバッテリセルと、を備える装置。
【請求項８２】
断熱材料及び乳白剤を備える絶縁体であって、前記乳白剤は、炭素酸化温度で前記炭素質材料の酸化を抑制する耐熱材料でコーティングされた炭素質材料を含む、絶縁体。
【請求項８３】
前記断熱材料は多孔質構造を有する無機断熱材料である、請求項８２に記載の絶縁体。
【請求項８４】
前記多孔質構造は５００ｎｍ未満の平均細孔径を有する、請求項８３に記載の絶縁体。
【請求項８５】
前記無機断熱材料は、互いに接触して配置された断熱ナノ粒子を含み、前記多孔質構造を画定する、請求項８３又は８４に記載の絶縁体。
【請求項８６】
前記断熱ナノ粒子は１００ｎｍ未満の平均粒子径を有する、請求項８５に記載の絶縁体。
【請求項８７】
前記無機断熱材料はエアロゲル粒子を含む、請求項８３に記載の絶縁体。
【請求項８８】
前記無機断熱材料は、シリカ、炭素、ジルコニア、チタニア、及びセラミックから選択される、請求項８３〜８７のいずれか１項に記載の絶縁体。
【請求項８９】
前記無機断熱材料はセラミックナノ粒子を含む、請求項８３に記載の絶縁体。
【請求項９０】
前記セラミックナノ粒子は、シリカ、チタニア、アルミナ又はジルコニアを含む、請求項８９に記載の絶縁体。
【請求項９１】
前記セラミックナノ粒子は、少なくとも１００ｍ2／ｇの平均ＢＥＴ表面積を有する、請求項８９又は９０に記載の絶縁体。
【請求項９２】
前記セラミックナノ粒子はヒュームドシリカ又はシリカエアロゲルを含む、請求項８９〜９１のいずれか１項に記載の絶縁体。
【請求項９３】
前記絶縁体は、少なくとも５体積％の前記無機断熱材料を備える、請求項８９〜９２のいずれか１項に記載の絶縁体。
【請求項９４】
前記無機断熱材料と接触する繊維状材料を備える、請求項８９〜９３のいずれか１項に記載の絶縁体。
【請求項９５】
前記繊維状材料は、ガラス繊維、セラミック繊維、及びシリカ繊維から選択される、請求項９４に記載の絶縁体。
【請求項９６】
前記繊維状材料はガラス繊維を含む、請求項９５に記載の絶縁体。
【請求項９７】
前記炭素質材料は、黒鉛、カーボンブラック、カーボンナノチューブ、及びグラフェンから選択される、請求項８２〜９６のいずれか１項に記載の絶縁体。
【請求項９８】
前記耐熱材料は、シリカ、アルミナ、チタニア、ニッケル、窒化ホウ素、ジルコニア、及びＡｌＦ3から選択される、請求項８２〜９７のいずれか１項に記載の絶縁体。
【請求項９９】
耐熱材料でコーティングされた前記乳白剤の酸化温度は８００℃を超える、請求項８２〜９８のいずれか１項に記載の絶縁体。
【請求項１００】
前記炭素質材料は５：１を超えるアスペクト比を有する、請求項８２〜９９のいずれか１項に記載の絶縁体。
【請求項１０１】
前記炭素質材料は、前記耐熱材料に共有結合している、請求項８２〜１００のいずれか１項に記載の絶縁体。
【請求項１０２】
前記乳白剤を４０重量％以下備える、請求項８２〜１０１のいずれか１項に記載の絶縁体。
【請求項１０３】
第１のバッテリセル及び第２のバッテリセルと、
前記第１のバッテリセルと前記第２のバッテリセルの間に配置された、請求項８２〜１０２のいずれか１項に記載の絶縁体と、を備える装置。
【請求項１０４】
前記第１と第２のバッテリセルの間に配置された金属層を備える、請求項１０３に記載の装置。
【請求項１０５】
前記第１のバッテリセルと熱接触する第１の絶縁体と、
前記第１のバッテリセルの反対側で前記第１のポリマーコーティングされた絶縁体と熱接触する金属層と、
前記第１の絶縁体の反対側で前記金属層と熱接触する第２のポリマーコーティングされた絶縁体と、
前記金属層の反対側で前記第２の絶縁体と熱接触する前記第２のバッテリセルと、を備える装置。
【請求項１０６】
絶縁体の製造方法であって、
バインダを溶媒に溶解して溶液を形成することと、
多孔質絶縁体を前記溶液に暴露し、それによって前記絶縁体の細孔に前記溶液を含浸することと、
前記絶縁体の細孔内の前記バインダを固化させることと、を含む方法。
【請求項１０７】
前記バインダを固化させることは、前記絶縁体の細孔内で前記バインダを堆積させることを含む、請求項１０６に記載の方法。
【請求項１０８】
前記バインダを固化させることは、前記絶縁体の細孔内で前記バインダを重合させることを含む、請求項１０６に記載の方法。
【請求項１０９】
ポリマーコーティングされた多孔質絶縁体を製造する方法であって、断熱多孔質材料をポリマーコーティングによりコーティングして、ポリマーコーティングされた絶縁体を形成すること、を含む方法。
【請求項１１０】
絶縁体の製造方法であって、
バインダを溶媒に溶解してバインダ溶液を形成することと、
多孔質構造を有する無機断熱材料を前記バインダ溶液に暴露して前記無機断熱材料の前記多孔質構造に前記バインダ溶液を含浸し、バインダ含浸材料を形成することと、
基板上に前記バインダ含浸材料を堆積させることと、
前記多孔質構造内で前記バインダを固化させることと、を含む方法。
【請求項１１１】
前記多孔質構造内で前記バインダを固化させる前記ステップは、前記バインダ含浸材料を加熱することを含む、請求項１１０に記載の方法。
【請求項１１２】
絶縁体の製造方法であって、
バインダを溶媒に溶解してバインダ溶液を形成することと、
多孔質構造を有する無機断熱材料を前記バインダ溶液に暴露して前記無機断熱材料の前記多孔質構造に前記バインダ溶液を含浸し、バインダ含浸材料を形成することと、
ダイ内に前記バインダ含浸材料を堆積させることと、
前記バインダ含浸材料に圧力を加えて前記多孔質構造内で前記バインダを固化させることと、を含む方法。
【請求項１１３】
絶縁体の製造方法であって、
バインダと無機断熱材料を混合して混合物を形成することと、
前記混合物を圧縮して、多孔質構造であって、前記多孔質構造は前記バインダを含浸されている、多孔質構造を有する無機断熱材料を形成することと、を含む方法。
【請求項１１４】
前記バインダ含浸無機断熱材料を加熱することを更に含む、請求項１１３に記載の方法。
【請求項１１５】
絶縁体の製造方法であって、
バインダと無機断熱材料を混合して混合物を形成することと、
前記混合物を押し出して、多孔質構造であって、前記多孔質構造は前記バインダを含浸されている、多孔質構造を有する無機断熱材料を形成することと、を含む方法。
【請求項１１６】
前記バインダ含浸無機断熱材料を加熱することを更に含む、請求項１１５に記載の方法。
【請求項１１７】
ポリマーコーティング絶縁体の製造方法であって、
無機断熱材料の前記表面をコーティング組成物に暴露して、前記無機断熱材料の前記表面上にポリマーコーティングを形成することと、
前記ポリマーコーティングを前記無機断熱材料中に少なくとも平均１０ミクロン浸透させることと、
前記ポリマーコーティングを固化させることと、を含む方法。
【請求項１１８】
前記コーティング組成物は前記ポリマーコーティングの１つ以上の前駆体を含む、請求項１１７に記載の方法。
【請求項１１９】
前記コーティング組成物は前記ポリマーを含む、請求項１１７又は１１８に記載の方法。
【請求項１２０】
前記暴露するステップは、前記無機断熱材料の前記表面を前記コーティング組成物でスプレーコーティングすることを含む、請求項１１７〜１１９のいずれか１項に記載の方法。
【請求項１２１】
前記暴露するステップは、前記無機断熱材料の前記表面を前記コーティング組成物で浸漬コーティングすることを含む、請求項１１７〜１１９のいずれか１項に記載の方法。
【発明の詳細な説明】
【技術分野】
【０００１】
本開示は全般に断熱体に関する。断熱体は、複数セルのバッテリパック内のバッテリセル間の絶縁体など、様々な用途で使用され得る。
【０００２】
（優先権）
本特許出願は、２０１５年１２月１５日に出願された、「Ｍｉｃｒｏｐｏｒｏｕｓ  Ｉｎｓｕｌａｔｏｒｓ  Ｈａｖｉｎｇ  Ｍｕｌｔｉｆｕｎｃｔｉｏｎａｌ  Ｐａｒｔｉｃｌｅｓ，」と題された米国仮特許出願公開第６２／２６７，４４７号、２０１５年１２月１５日に出願された、「Ｍｉｃｒｏｐｏｒｏｕｓ  Ｉｎｓｕｌａｔｏｒｓ  Ｈａｖｉｎｇ  Ｍｕｌｔｉｆｕｎｃｔｉｏｎａｌ  Ｐａｒｔｉｃｌｅｓ，」と題された米国仮特許出願公開第６２／２６７，４５５号、２０１６年６月２９日に出願された、「Ｍｉｃｒｏｐｏｒｏｕｓ  Ｉｎｓｕｌａｔｏｒｓ  Ｈａｖｉｎｇ  Ｍｕｌｔｉｆｕｎｃｔｉｏｎａｌ  Ｐａｒｔｉｃｌｅｓ，」と題された米国仮特許出願公開第６２／３５６，３２２号、の米国特許法第１１９条（ｅ）の下で利益を主張するものであり、それらの各々は、参照によりその全体が本明細書に組み込まれる。
【背景技術】
【０００３】
バッテリは、複数のバッテリセルを有するバッテリパックを含むことができる。バッテリセルは、異常な条件下で、熱暴走と呼ばれる一種の熱イベントを経験し得る。バッテリセルの熱暴走は、バッテリセルが、放散され得るよりも速く熱を生成し、発熱速度を高める温度上昇をもたらす状態を指す。
【発明の概要】
【０００４】
一態様では、本開示は、断熱体（例えば、微多孔質絶縁体）に関する。絶縁体は多孔質構造を有する無機断熱材料を含む。バインダが多孔質構造内に配置され、揮発温度で揮発するように構成される。特定のバリエーションでは、絶縁体は少なくとも１０体積％のバインダを含むことができる。いくつかのバリエーションでは、絶縁体は少なくとも５体積％の無機断熱材料を含むことができる。
【０００５】
いくつかの態様では、無機断熱材料は、互いに接触して配置されて多孔質構造を画定する断熱ナノ粒子を含む。様々な態様では、断熱ナノ粒子は１００ｎｍ未満の平均粒子径を有することができる。あるいは、無機断熱材料はエアロゲル粒子を含むことができる。非限定的なバリエーションでは、無機断熱材料は、シリカ、炭素、ジルコニア、チタニア又はセラミックを含むことができる。
【０００６】
いくつかの態様では、無機断熱材料はセラミックナノ粒子を含む。いくつかのバリエーションでは、セラミックナノ粒子は、シリカ、チタニア、アルミナ又はジルコニアを含むことができる。いくつかのバリエーションでは、セラミックナノ粒子は、少なくとも１００ｍ2／ｇの平均ＢＥＴ表面積を有する。追加のバリエーションでは、セラミックナノ粒子はヒュームドシリカ又はシリカエアロゲルを含む。
【０００７】
いくつかのバリエーションでは、バインダ材料は、有機材料、又はシロキサン材料である。追加のバリエーションでは、バインダは、ポリアルキルカーボネート、ポリアクリレート、ポリエーテル、ポリテトラフルオロペンチレン（ＰＴＦＥ）、ポリビニルアルコール、リグノスルホネート、メチルセルロース、パラフィン、シリコーン、オルガノシラン、デンプン、デキストリン、及びワックスエマルジョンから選択される材料であることができる。更なるバリエーションでは、バインダは、ポリプロピレンカーボネート、ポリエチレンカーボネート、又はポリヘキサンカーボネートであることができる。
【０００８】
追加のバリエーションでは、バインダは絶縁体の少なくとも２０体積％である。あるいは、バインダは絶縁体の少なくとも５０体積％である。更に別の態様では、バインダは絶縁体の少なくとも７０体積％である。
【０００９】
別の態様では、バインダは１気圧で５００℃以下の揮発温度を有する。１つの代替形態では、バインダは１気圧で４００℃以下の揮発温度を有する。別の代替形態では、バインダは１気圧で３００℃以下の揮発温度を有する。別の代替形態では、バインダは１気圧で２５０℃以下の揮発温度を有する。別の代替形態では、バインダは１気圧で２００℃以下の揮発温度を有する。別の代替形態では、バインダは１気圧で１７５℃以下の揮発温度を有する。別の代替形態では、バインダは１気圧で１５０℃以下の揮発温度を有する。
【００１０】
更なるバリエーションでは、絶縁体は、繊維状材料を含む。繊維状材料の非限定的な例としては、ガラス繊維、石英繊維、炭化ケイ素繊維、アルミナ繊維繊維、及びセラミック繊維が含まれ得る。
【００１１】
更なるバリエーションでは、絶縁体の機械的強度は、バインダの揮発後よりもバインダの揮発前の方が大きい。例えば、機械的強度を曲げ強度として測定することができる。いくつかのバリエーションでは、絶縁体の曲げ強度を、バインダの揮発後よりも、バインダの揮発前に、少なくとも１０倍に大きくすることができる。
【００１２】
別の態様では、本開示は、多孔質構造を形成する無機断熱材料を含む絶縁体に関する。多孔質構造は、多孔質構造の外側のガスに比較して、多孔質構造におけるガスの平均自由行程を減少させるように構成され得る。
【００１３】
いくつかのバリエーションでは、無機断熱材料は、互いに接触して配置された複数の断熱ナノ粒子を含む。ナノ粒子間の空間は、絶縁体に細孔を形成することができる。いくつかのバリエーションでは、断熱ナノ粒子は１００ｎｍ未満の平均粒子径を有する。あるいは、無機断熱材料はエアロゲル粒子を含むことができる。いくつかのバリエーションでは、無機断熱材料は、シリカ、炭素、ジルコニア、チタニア又はセラミックを含むことができる。
【００１４】
追加のバリエーションでは、無機断熱材料は多機能断熱ナノ粒子を含むことができる。多機能断熱ナノ粒子は、コア、コア上に配置された第１の層、及び第１の層上に配置された第２の層を含むことができる。第１の層は、絶縁層又は乳白剤のいずれかであり、第２の層は、絶縁層又は乳白剤の他方である。
【００１５】
多機能断熱ナノ粒子は、任意の数の追加の絶縁層及び乳白剤層を任意の順序で含むことができる。例えば、いくつかのバリエーションでは、追加の絶縁層は第２の層上に配置され、追加の乳白剤層は追加の絶縁層上に配置される。あるいは、追加の乳白剤層を第２の層上に配置することができ、追加の絶縁層を追加の乳白剤層剤上に配置することができる。例として限定なしに、１つ、２つ、３つ、４つ、５つ、６つ、７つ、８つ以上の絶縁層及び／又は乳白剤を追加することができる。
【００１６】
別の態様では、本開示は、ポリマーコーティングされた絶縁体に関する。ポリマーコーティングされた絶縁体は、無機断熱材料及び無機断熱材料の表面に配置されたポリマーコーティングを含む。いくつかの非限定的なバリエーションでは、無機断熱材料は、互いに接触する断熱ナノ粒子を含んで多孔質構造を画定することができる。無機断熱材料はエアロゲル粒子を含むことができる。いくつかのバリエーションでは、無機断熱材料は、シリカ、カーボン、ジルコニア、チタニア、及びセラミックから選択され得る。
【００１７】
いくつかのバリエーションでは、ポリマーコーティングは、ポリウレタン、エポキシ、ポリアクリレート、ポリエステル又はポリイミドであることができる。ポリマーコーティングは、様々な厚さを有することができる。いくつかの例では、ポリマーコーティングは、５００ミクロン以下の平均厚さを有することができる。いくつかの例では、ポリマーコーティングは、４００ミクロン以下の平均厚さを有することができる。いくつかの例では、ポリマーコーティングは、３００ミクロン以下の平均厚さを有することができる。いくつかの例では、ポリマーコーティングは、２００ミクロン以下の平均厚さを有することができる。いくつかの例では、ポリマーコーティングは、１００ミクロン以下の平均厚さを有することができる。
【００１８】
いくつかの例では、ポリマーコーティングは、３００ミクロン以下の厚さを有することができる。ポリマーコーティングは、無機断熱材料中に、例えば平均で１０ミクロンを超えて浸透することができる。
【００１９】
追加のバリエーションでは、絶縁体又はポリマーコーティングされた絶縁体は、１つ以上の赤外線波長で電磁放射を吸収するように構成された乳白剤を含むことができる。様々な態様では、乳白剤は２５０℃を超える温度で１×１０4ｍ-1を超える平均吸光係数を有する。様々な非限定的なバリエーションでは、乳白剤は、炭化ケイ素、チタニア又は炭素質材料であることができる。いくつかの非限定的なバリエーションでは、乳白剤は、黒鉛、カーボンブラック、カーボンナノチューブ、又はグラフェンなどの炭素質材料を含む。炭素質材料は、炭素酸化温度での酸化を抑制するように構成された耐熱材料でコーティングされ得る。そのような耐熱材料の非限定的な例としては、シリカ、アルミナ、チタニア、ニッケル、窒化ホウ素、ジルコニア、及びＡｌＦ3が挙げられる。いくつかのバリエーションでは、耐熱材料でコーティングされた乳白剤の酸化温度は８００℃を超える。いくつかの追加のバリエーションでは、炭素質材料は５：１を超えるアスペクト比を有する。非炭素質の乳白剤も使用することができる。
【００２０】
更なるバリエーションでは、絶縁体の熱伝導率は、例えば８００℃で、バインダの揮発後に、０．０５Ｗ／ｍ・Ｋ未満である。他のバリエーションでは、絶縁体の熱伝導率は、例えば室温で、バインダの揮発前に０．１Ｗ／ｍ・Ｋを超える。
【００２１】
別の態様では、本開示は、断熱材料及び乳白剤を含む絶縁体に関する。乳白剤は、耐熱材料でコーティングされた炭素質材料を含み、炭素酸化温度で炭素質材料の酸化を抑制する。いくつかの態様では、断熱材料は多孔質構造を有する無機断熱材料である。断熱材料は、本明細書に記載の無機断熱材料を含むが、これに限定されない、任意の絶縁材料であることができる。
【００２２】
いくつかのバリエーションでは、炭素質材料は、黒鉛、カーボンブラック、カーボンナノチューブ及びグラフェンから選択される。いくつかのバリエーションでは、耐熱材料は、シリカ、アルミナ、チタニア、ニッケル、窒化ホウ素、ジルコニア、及びＡｌＦ3から選択される。いくつかのバリエーションでは、耐熱材料でコーティングされた乳白剤の酸化温度は８００℃を超える。いくつかのバリエーションでは、炭素質材料は５：１を超えるアスペクト比を有する。いくつかのバリエーションでは、炭素質材料は、耐熱材料に共有結合される。いくつかのバリエーションでは、絶縁体は、４０重量％以下の乳白剤を含むことができる。
【００２３】
別の態様では、本開示は、絶縁体の製造方法に関する。いくつかの絶縁体では、バインダが溶媒に溶解されてバインダ溶液を形成する。無機断熱材料はバインダ溶液に暴露され、それは無機断熱材料の多孔質構造を含浸する。バインダは、無機断熱材料の多孔質構造内で固化され得る。いくつかのバリエーションでは、バインダは無機断熱材料の細孔内に堆積する。
【００２４】
別の態様では、製造方法は、多孔質無機断熱材料をバインダ前駆体組成物に暴露させることを含む。バインダ前駆体組成物は、バインダモノマーを含むことができる。次いで、バインダモノマーが重合され、バインダ含浸無機断熱材料を形成する。
【００２５】
本明細書に記載の絶縁体に対して、様々な追加の方法が意図される。別の態様では、無機断熱材料をバインダ溶液に暴露して多孔質構造を含浸する。バインダ含浸材料は基板上に堆積される。次いで、バインダは、多孔質構造内で固化される。いくつかの態様では、バインダ含浸材料を加熱して多孔質構造内でバインダを固化させる。
【００２６】
別の態様では、バインダ含浸材料をダイ内に堆積させることができる。ダイを加圧して多孔質構造内でバインダを固化させることができる。
【００２７】
別の態様では、絶縁体の製造方法は、バインダと無機断熱材料を混合して混合物を形成することを含む。混合物を圧縮して、バインダを多孔質構造に含浸させて、多孔質構造を有する無機断熱材料を形成することができる。あるいは、混合物を押し出して、バインダを多孔質構造に含浸させて、多孔質構造を有する無機断熱材料を形成することができる。その方法は、バインダ含浸無機断熱材料を加熱することを更に含むことができる。
【００２８】
別の態様では、本開示は、ポリマーコーティング絶縁体の製造方法に関する。無機断熱材料の表面にコーティング組成物を暴露して、無機断熱材料の表面にポリマーコーティングを形成する。ポリマーコーティングを、無機断熱材料中に少なくとも平均１０ミクロン浸透させる。次いで、ポリマーコーティングを固化させる。
【００２９】
いくつかのバリエーションでは、コーティング組成物は、ポリマーコーティングの１つ以上の前駆体（例えば、モノマー）を含むことができる。様々な態様では、コーティング組成物はポリマーコーティングのポリマーを含む。
【００３０】
いくつかのバリエーションでは、無機断熱材料をポリマーコーティングに暴露させるステップは、無機断熱材料表面をコーティング組成物でスプレーコーティングすることを含む。他のバリエーションでは、暴露ステップは、無機断熱材料の表面にコーティング組成物を浸漬コーティングすることを含む。
【００３１】
絶縁体及びポリマーコーティングされた絶縁体の様々な製造方法では、繊維状材料及び乳白剤（コーティングされた乳白剤を含む）などの追加の構成要素が、任意の方法ステップに及び任意の順序で追加され得る。
【００３２】
更なる態様では、本開示は、その間に配置された絶縁体又はポリマーコーティングされた絶縁体を有する第１のバッテリセル及び第２のバッテリセルを含む装置に関する。装置は、第１と第２のバッテリセルの間に配置された金属層も含むことができる。一バリエーションでは、装置は、第１のバッテリセルと熱接触する第１の絶縁体、第２のバッテリセルと熱接触する第２の絶縁体、及び第１と第２の絶縁体の間に配置された金属層を含む。
【００３３】
本開示は、添付図面とともに以下の詳細な説明によって容易に理解されようが、ここで同様の参照番号は同様の構造要素を示す。
【図面の簡単な説明】
【００３４】
【図１Ａ】いくつかの例示的実施形態に係る、バッテリセルの絶縁筐体を描く断面図である。
【図１Ｂ】いくつかの例示的実施形態に係る、底部の絶縁体及び熱伝導層を含むバッテリセルの絶縁筐体を描く断面図である。
【図１Ｃ】いくつかの例示的実施形態に係る、第１のバッテリセルと第２のバッテリセルの間に配置された絶縁体を有するバッテリパックを描く斜視図である。
【図１Ｄ】いくつかの例示的実施形態に係る、絶縁筐体の層を描く断面図である。
【図２】いくつかの例示的実施形態に係る、熱分解イベントの前後の絶縁体の一部を描く概略図である。
【図３】いくつかの例示的実施形態に係る、熱暴走イベントによる絶縁体の熱伝導率の変化を描く代表的なグラフである。
【図４】いくつかの例示的実施形態に係る、様々な材料の熱伝導率対温度の代表的なグラフである。
【図５】いくつかの例示的実施形態に関する、異なるバインダ装填量を有する絶縁体の曲げ強度対バインダ装填量を描く代表的なグラフである。
【図６】いくつかの例示的実施形態に係る、熱処理を受ける絶縁体の質量損失を描く代表的なグラフである。
【図７】いくつかの例示的実施形態に係る、バインダを含まない絶縁体、バインダを含む絶縁体、及びバインダが揮発した後（すなわちバーンアウト後）の絶縁体の熱伝導率を描く代表的なグラフである。
【図８】一例示的実施形態に係る、個々の断熱多機能ナノ粒子８００の断面図を示す。
【図９】一例示的実施形態に係る、絶縁体の一部の断面図を示す。
【発明を実施するための形態】
【００３５】
ここで様々な実施形態の記載が添付図面を参照して行われる。以下の記載は、それらの実施形態を１つの好ましい実施形態に限定することを意図するものではないことを理解されたい。反対に、以下の説明は、添付の「特許請求の範囲」によって規定されるような、記載された実施形態の精神及び範囲内に含まれ得る、代替物、変更物、及び均等物を網羅することが意図される。
【００３６】
熱は、リチウムイオンバッテリのバッテリセル間を伝播することができる。これらの条件下では、バッテリセルが故障するまで内部自己発熱によりバッテリセルの温度が上昇することができ、熱及び気化した電解質が放出される。複数セルバッテリパックでは、このような熱暴走イベントから発生した熱は、隣接するバッテリセルにおける熱暴走を誘導し、最終的にはバッテリパック全体に伝播することができる。この伝播の危険性は、Ｌｉ（Ｎｉ，Ｃｏ，Ａｌ）Ｏ2、ＬｉＣｏＯ2、又はニッケルリッチなＬｉ（Ｎｉ，Ｃｏ，Ｍｎ）Ｏ2カソード材料を含むような高エネルギの熱感受性バッテリセルの使用を制限し、パックエネルギ密度全体を制限する。
【００３７】
熱暴走の伝播危険性を低減する１つの方法は、バッテリセル間に断熱材を介在させることであり、これはバッテリセル間にシート又は他の平面状構造体を配置することを含むことができる。そのような断熱材は、熱暴走イベント中に隣接するセルへの熱伝達を減少させる。更に、そのような断熱材が面貫通熱伝導率より大きな面内熱伝導率を有する場合、熱は隣接するバッテリセルから離れるように伝導され、代わりにバッテリパック冷却システム又は他の非感受性熱質量に向けられ得る。本開示は、絶縁体及びその製造方法を提供する。様々な態様では、絶縁体は、複数のバッテリパック内の個々のバッテリセル又はセルブロックの間に配置され得る。
Ｉ．バッテリセル間の絶縁筐体内の絶縁体
【００３８】
いくつかの例示的実施形態によれば、図１Ａ及び図１Ｂはバッテリセル用の絶縁筐体１００の断面図を表す。絶縁筐体１００は、内側金属層１０２、絶縁体１０４、及び外側金属層１０６を含む。内側金属層１０２及び外側金属層１０６は、アルミニウム材料又はステンレス鋼材料から形成され得る。絶縁体１０４は、本明細書に記載の任意の絶縁体から選択され得る。絶縁体１０４は、図２〜図７に関連して記載されるような無機断熱材料から形成され得る。外側金属層１０６は絶縁筐体１００の熱伝導体として機能し、絶縁体から筐体外に熱を伝導する。絶縁体１０４は、図１Ａに示すように、絶縁筐体１００及びその蓋の全壁内に配置され得る。
【００３９】
あるいは、絶縁体１０４は、いくつかの壁内のみにあってもよく、非絶縁壁に熱をバッテリセルの内外に伝導させる。いくつかの実施形態では、図１Ｂに示すように、絶縁体１０４は、絶縁筐体１００の底部１０８を欠いている。底部１１０は、バッテリセルから熱を放出させる熱伝導層（例えば、金属層又はプレート）を含む。いくつかのバリエーションでは、熱は熱暴走故障イベント中に伝達することができる。そのような熱流の向きは、図１Ｂの矢印１１２で示される。
【００４０】
図１Ｃは、いくつかの例示的実施形態に係る、第１のバッテリセル１２４と第２のバッテリセル１２６の間に配置された絶縁体１２２（例えば、微多孔質絶縁体）の斜視図である。図１Ｃは、２つのバッテリセル１２４、１２６を有するバッテリパック１２０を示すが、このバリエーションは制限するものとして意図されていない。２つ超のバッテリセルが、その間に絶縁体が配置されるように配置され得る。絶縁体１２２が、そのようなバッテリセル間に任意の構成で配置され得る。
【００４１】
図１Ｄは、いくつかの例示的実施形態に係る、絶縁体１４８及び１５６と金属層１５２によって分離された２つのバッテリセル１４０及び１４２の斜視図を表す。図１Ｄの実施形態では、各バッテリセル１４０及び１４２は、それぞれ、絶縁体１４８又は１５６と熱接触している。金属層１５２は、絶縁体１４８と１５６を分離する。具体的には、絶縁体１４８は、バッテリセル１４０と熱接触している。金属層１５２は、バッテリセル１４８の反対側で絶縁体１４０と熱接触している。金属層１５２は、絶縁体１４８の反対側で絶縁体１５６と熱接触している。金属層１５６は、絶縁体１４８の反対側で絶縁体１５２と熱接触している。絶縁体１５６も、金属層１５２の反対側でバッテリセル１４２と熱接触している。様々な態様では、互いに熱接触している構成要素は、接着剤などを介して互いに接着され得る。
【００４２】
金属層１５２は任意の金属であることができ、アルミニウム合金又はステンレス鋼を含むが、これらに限定されない。絶縁体１４８は、本明細書に記載の絶縁体の任意の変形であり得る。様々な態様では、金属層１５２は熱伝導体として機能し、バッテリから熱を除去することができる。
【００４３】
絶縁体及び金属層の厚さは縮尺どおりではないことが認識されよう。図１Ｄは、２つのバッテリセル１２４、１２６を有するバッテリパック１２０を示しているが、このバリエーションは制限するものとして意図されていない。バッテリパック１２０は、２つ以上のバッテリセルを有してもよい。
【００４４】
絶縁体、金属層、又は他の構成要素は、任意の順序又は配置で、そのようなバッテリセル間で任意の構成に配置され得る。図１Ｃ又は図１Ｄに描く絶縁体は、本明細書に記載の絶縁体又は当技術分野で既知の任意の絶縁体であり得ることが更に認識されよう。異なるバリエーションでは、絶縁体は、本明細書に記載の絶縁体又はポリマーコーティングされた絶縁体であることができる。
【００４５】
様々な態様では、絶縁体の厚さは０．０５〜５０ｍｍの範囲であることができる。いくつかのバリエーションでは、絶縁体の厚さは１ｍｍ〜１５ｍｍである。いくつかのバリエーションでは、絶縁体の厚さは１ｍｍ〜１０ｍｍである。同様に、金属が絶縁体と関連付けられる場合、金属の厚さは０．００１〜２ｍｍである。いくつかのバリエーションでは、金属の厚さは０．０１〜１．０ｍｍの厚さであることができる。いくつかのバリエーションでは、金属の厚さは、０．０５〜０．５ｍｍの厚さであることができる。金属層は、アルミニウム、鋼又はそれらの合金を含む、当技術分野で既知の任意の金属であることができる。
ＩＩ．絶縁体
【００４６】
様々な絶縁体が本明細書に記載される。様々な態様では、絶縁体は、多孔質構造を形成する無機断熱材料、及び本明細書に開示されるバインダを含む絶縁体であることができる。あるいは、絶縁体は、多孔質構造の外側のガスに比較して絶縁体中のガスの平均自由行程を減少させるように構成された多孔質構造を有する無機断熱材料を含むことができる。更に他の態様では、絶縁体はポリマーコーティングされた絶縁体である。そのような場合、ポリマーコーティングが無機断熱材料の表面に配置され、断熱材料に浸透する。
【００４７】
上記のバリエーションは本明細書に詳細に記載さるが、当技術分野で既知の他の絶縁体が使用され得ることが認識されよう。絶縁体はバッテリ技術において使用され得るが、絶縁体は他の用途でも使用され得る。
ＩＩ．Ａ．サーマルシャットダウン絶縁体
【００４８】
いくつかのバリエーションでは、絶縁体は、多孔質構造を形成する無機断熱材料、及び多孔質構造内に配置されたバインダを有することができる。無機断熱材料は、多孔質構造の無機断熱ナノ粒子から形成され得る。いくつかのバリエーションでは、無機断熱材料は、細孔を含む粒子（例えば、エアロゾル）から形成され得る。
【００４９】
本明細書に開示されるように、多孔質構造は、平均細孔径を有することができる。いくつかのバリエーションでは、平均細孔径は５００ｎｍ以下である。更なるバリエーションでは、平均細孔径は２００ｎｍ以下である。更なるバリエーションでは、平均細孔径は１００ｎｍ以下である。更なるバリエーションでは、平均細孔径は５０ｎｍ以下である。更なるバリエーションでは、平均細孔径は２０ｎｍ以下である。
【００５０】
バインダが無機断熱材料内に配置された場合、絶縁体は、バインダがない絶縁体に対して機械的特性の向上を呈することができる。これらの機械的特性の向上は、限定なしに、引っ張り強度の向上、圧縮強度の向上、曲げ強度の向上、せん断強度の向上、及び疲労強度（例えば、耐振動性）の向上を含むことができる。
【００５１】
バインダは、揮発温度で揮発するように構成され得る。本明細書に記載のように、揮発温度は、１ｍｍ径のバインダ粒子が１０分間の揮発時間内に揮発する温度である。いくつかの選択肢では、揮発温度は、１ｍｍ径のバインダ粒子が５分間の揮発時間内に揮発する温度である。更なる選択肢では、揮発温度は、１ｍｍ径のバインダ粒子が１分間の揮発時間内に揮発する温度である。バインダの揮発後、無機断熱材料は、低い熱対流及び低い熱伝導率を有する。
【００５２】
無機断熱材料は、当技術分野で既知の断熱材料であることができる。いくつかのバリエーションでは、無機断熱材料は多孔質材料であることができる。そのような多孔質材料のいくつかの例は、断熱粒子、又は、エアロゲルから形成される材料を含む。例示的材料としては、シリカ、炭素、ジルコニア、チタニアが挙げられるが、これらに限定されない。
【００５３】
図２は、いくつかの例示的実施形態に係る、熱イベントの前の時刻２０２及び熱イベントの後の時刻２０４における、絶縁体２００の一部の概略図を描く。熱イベントは、バッテリセル内の熱暴走に対応することができる。図２の実施形態では、絶縁体２００は、寸法がナノスケール（即ち、＜１００ｎｍ）であり得る断熱ナノ粒子２０６を含む。絶縁体２００においては、個々の断熱ナノ粒子２０６が集合してセル２０８を形成し、それらは、開放セル、閉鎖セル又はそれらの組み合わせであり得る。これらのセル２０８は細孔を画成し、組み合わせとして多孔質構造を形成する。セル２０８が寸法的に拡張して、実質的に任意のサイズ及び形状の固体を生成ことができることが理解されよう。
【００５４】
絶縁体２００は、その中に配置されたバインダ２１０を含む。バインダ２１０は、図２のバインダ含有絶縁体２０２に示されるように、多孔質構造の実質的に全ての細孔を充填することができる。バインダ２１０は、より低温（例えば、２００℃未満）で絶縁体２００の機械的強度及び耐久性を向上させることができる。バインダ２１０は、これらの低温において絶縁体２００の全体的な熱伝導率を増加させることもできる。揮発温度（例えば、２００℃超）では、バインダ２１０が揮発して、高絶縁性材料、液体、ガス、又はそれらのいくつかの組み合わせを形成する。そのような揮発は吸熱性であることができる。バインダは、揮発温度以上で相変化、分解、又は両方をすることができる。
【００５５】
熱イベントの後、図２のバインダを含有しない絶縁体２０４に示されるように、絶縁体２００は実質的にバインダ２１０を含まない。揮発温度は、選択されたバインダ２１０のタイプに依存して絶縁体２００を充填することができる。
【００５６】
バインダ２１０は、バッテリセルの通常の動作温度下で絶縁体２００をより熱伝導させることが理解されよう。しかし、熱イベント中又はその後、絶縁体２００はより断熱的になる。様々な態様では、熱イベントからの熱は、絶縁体２００内で揮発イベントをトリガする。
【００５７】
更に、断熱ナノ粒子２０６間の接触表面積の減少は伝導による熱流を妨げ得る。断熱ナノ粒子は、隣接する粒子間の接触表面積を減少させるために高い球形度を有することができる。接触表面積の減少は、粒子間で熱が流れるのに利用可能な界面を減少させ、それによって、絶縁体２００の全体の熱伝導率を低下させる。したがって、対流熱伝達及び伝導性熱伝達を減少させることにより、絶縁体２００は従来の絶縁体よりも熱流に対する改善された耐性を提供する。
【００５８】
図１Ｃに戻って、絶縁体１２２は多孔質構造を有する絶縁層を含むことができる。絶縁体１２２は、例えば、互いに接触して配置された断熱ナノ粒子から形成されて多孔質構造を画定することができる。あるいは、絶縁体は、エアロゲル粒子から形成され得る。揮発温度で揮発するように構成されたバインダは、多孔質構造内に配置され得る。揮発温度は、バッテリセル１２４、１２６における熱暴走の開始温度未満である。絶縁体１２２の一部の温度が揮発温度に達すると、バインダが揮発して絶縁体１２２を離脱する。揮発後、絶縁体１２２の熱伝導率は低下する。いくつかのバリエーションでは、バインダはバッテリセルから熱を吸収することができる。そのような吸熱は、熱暴走が他のバッテリセルに拡散するのを防ぐ助けとなり得る。他のバリエーションでは、バインダはバッテリセルに熱を放出することができる。絶縁体１２２の機械的強度も低下し得る。
【００５９】
同様に、図１Ｄに戻って、絶縁体１４８及び１５６は、多孔質構造を有する無機断熱材料を有する絶縁体であることができる。無機断熱材料は、断熱ナノ粒子又はエアロゲルから形成され得る。揮発温度で揮発するように構成されたバインダは、多孔質構造内に配置され得る。絶縁体１４８又は１５６のいずれかのバインダが揮発すると、絶縁体の熱伝導率は低下する。熱は、金属層１５２に伝導されることが可能であり、次いで、金属層に沿ってバッテリから離れる。金属層は、バッテリから離れる熱を伝導することができる。
【００６０】
図１Ｃ及び図１Ｄの層は縮尺どおりである必要はないことに注意されたい。例えば、様々な態様では、様々な金属層は無機断熱材料より実質的に薄くなり得る。同様に、様々な無機断熱材料、金属層、及びバッテリセルは、無機断熱材料又は金属層の厚さ未満又はそれを超える厚さを有し得る接着剤と接触させられることが可能である。
【００６１】
図３は、いくつかの例示的実施形態に係る、熱暴走イベントによる絶縁体の熱伝導率の変化のグラフ３００を示す。熱暴走イベントに至るまでの熱は、図３の実線３０２に示すように、急激な熱伝導率の低下を誘導する。通常動作に関連付けられた温度では、絶縁体は、０．１Ｗ／ｍ・Ｋを超える室温熱伝導率及び向上された機械的強度を有する。熱暴走に関連付けられた温度（すなわち、＞８０℃）では、絶縁体は、バインダの揮発後に低い熱伝導率（すなわち、＜０．０５Ｗ／ｍ・Ｋ）を有する。図３では、熱暴走の開始温度（すなわち、約１９０℃）よりも低い約１２０℃の揮発温度を有する絶縁体が示される。図３に描く揮発温度及び開始温度は、限定的なものとしては意図されていないことが理解されよう。他の揮発温度及び開始温度が可能であるが、依然として本開示の範囲内にある。
【００６２】
いくつかのバリエーションでは、絶縁体は、バインダが揮発した後に０．５Ｗ／（ｍ＊Ｋ）以下の２５℃における熱伝導率を有する。いくつかのバリエーションでは、絶縁体は、バインダが揮発した後に０．４Ｗ／（ｍ＊Ｋ）以下の２５℃における熱伝導率を有する。いくつかのバリエーションでは、絶縁体は、バインダが揮発した後に０．３５Ｗ／（ｍ＊Ｋ）以下の２５℃における熱伝導率を有する。いくつかのバリエーションでは、絶縁体は、バインダが揮発した後に０．３Ｗ／（ｍ＊Ｋ）以下の２５℃における熱伝導率を有する。いくつかのバリエーションでは、絶縁体は、バインダが揮発した後に０．２Ｗ／（ｍ＊Ｋ）以下の２５℃における熱伝導率を有する。いくつかのバリエーションでは、絶縁体は、バインダが揮発した後に０．１Ｗ／（ｍ＊Ｋ）以下の２５℃における熱伝導率を有する。いくつかのバリエーションでは、絶縁体は、バインダが揮発した後に０．０５Ｗ／（ｍ＊Ｋ）以下の２５℃における熱伝導率を有する。いくつかのバリエーションでは、絶縁体は、バインダが揮発した後に０．０３Ｗ／（ｍ＊Ｋ）以下の２５℃における熱伝導率を有する。いくつかのバリエーションでは、絶縁体は、バインダが揮発した後に０．０２Ｗ／（ｍ＊Ｋ）以下の２５℃における熱伝導率を有する。
【００６３】
断熱ナノ粒子の例としては、シリカ（例えばヒュームドシリカ）、ジルコニア、セラミック（例えば、二酸化チタン）、絶縁性繊維製品、及びマイカが挙げられる。他の材料も可能である。いくつかの態様では、無機断熱材料はセラミックナノ粒子を含む。いくつかのバリエーションでは、セラミックナノ粒子は、シリカ、チタニア、アルミナ又はジルコニアを含むことができる。いくつかのバリエーションでは、セラミックナノ粒子は、少なくとも１００ｍ2／ｇの平均ＢＥＴ表面積を有する。追加のバリエーションでは、セラミックナノ粒子はヒュームドシリカ又はシリカエアロゲルを含む。
【００６４】
いくつかのバリエーションでは、断熱ナノ粒子は、６００〜１０００℃の間の温度で、二酸化ケイ素のバルク熱伝導率以下のバルク熱伝導率を有する材料から形成される。いくつかのバリエーションでは、断熱ナノ粒子は、Ｙ安定化ＺｒＯ2、Ｇｄ3Ｚｒ2Ｏ7、及びこれらのバルク組成物のドーピングされたバージョンから形成され得る。いくつかのバリエーションでは、断熱ナノ粒子材料は、二酸化ケイ素を含むことができる。
【００６５】
図４は、いくつかの例示的実施形態に係る、様々な無機断熱材料の熱伝導対温度のグラフ４００を示す。グラフ４００に示す温度は、約１００℃〜１５００℃である。二酸化ケイ素のバルク熱伝導率は、鎖線４０２によって示される。断熱ナノ粒子に適用可能な材料は、６００℃〜１０００℃の温度範囲において、鎖線４０２の下にバルク熱伝導率を有する材料を含む。しかし、図４に明示されていない材料も本開示の範囲内にあり得ることが理解されよう。
【００６６】
いくつかの態様では、断熱ナノ粒子は、ナノメートル寸法内に少なくとも１つの直径（すなわち、ミクロン未満の少なくとも１つの寸法）を有することができる。いくつかの実施形態では、断熱ナノ粒子の平均直径は、５００ｎｍ以下である。いくつかの実施形態では、断熱ナノ粒子の平均直径は、１００ｎｍ以下である。いくつかの実施形態では、断熱ナノ粒子の平均直径は、５０ｎｍ以下である。いくつかの実施形態では、断熱ナノ粒子の平均直径は、２０ｎｍ以下である。
【００６７】
そのようなバリエーションでは、平均的断熱ナノ粒子径は少なくとも１００ｎｍであることができる。いくつかのバリエーションでは、平均断熱ナノ粒子径は少なくとも２５０ｎｍであることができる。いくつかのバリエーションでは、平均断熱ナノ粒子径は少なくとも４００ｎｍであることができる。
【００６８】
いくつかの態様では、セラミックナノ粒子は少なくとも１００ｍ2／ｇの平均ＢＥＴ表面積を有する。いくつかの態様では、セラミックナノ粒子は少なくとも１５０ｍ2／ｇの平均ＢＥＴ表面積を有する。いくつかの態様では、セラミックナノ粒子は少なくとも２００ｍ2／ｇの平均ＢＥＴ表面積を有する。いくつかの態様では、無機断熱材料は少なくとも５体積％の絶縁体を有する。いくつかの態様では、無機断熱材料は少なくとも１０体積％の絶縁体を有する。いくつかの態様では、無機断熱材料は少なくとも１５体積％の絶縁体を有する。いくつかの態様では、無機断熱材料は少なくとも２０体積％の絶縁体を有する。いくつかの態様では、無機断熱材料は少なくとも２５体積％の絶縁体を有する。いくつかの態様では、無機断熱材料は少なくとも３０体積％の絶縁体を有する。
【００６９】
絶縁体は、バインダの揮発後にある密度を有することができる。いくつかのバリエーションでは、絶縁体は、バインダの揮発後に少なくとも０．１ｇ／ｍＬの密度を有する。いくつかのバリエーションでは、絶縁体は、バインダの揮発後に少なくとも０．１５ｇ／ｍＬの密度を有する。いくつかのバリエーションでは、絶縁体は、バインダの揮発後に少なくとも０．２ｇ／ｍＬの密度を有する。いくつかのバリエーションでは、絶縁体は、バインダの揮発後に少なくとも０．３ｇ／ｍＬの密度を有する。いくつかのバリエーションでは、絶縁体は、バインダの揮発後に少なくとも０．３５ｇ／ｍＬの密度を有する。いくつかのバリエーションでは、絶縁体は、バインダの揮発後に少なくとも０．４ｇ／ｍＬの密度を有する。いくつかのバリエーションでは、絶縁体は、バインダの揮発後に少なくとも０．５ｇ／ｍＬの密度を有する。いくつかのバリエーションでは、絶縁体は、バインダの揮発後に少なくとも０．６ｇ／ｍＬの密度を有する。いくつかのバリエーションでは、絶縁体は、バインダの揮発後に少なくとも０．７ｇ／ｍＬの密度を有する。
【００７０】
いくつかのバリエーションでは、断熱ナノ粒子の平均直径は約１３ｎｍである。いくつかの態様では、断熱ナノ粒子の粒子サイズ分布は、複数のサイズ分布を有する複数モードであることができる。例えば、本明細書に記載のように、断熱粒子は、第１の平均直径及び第２の平均直径を有することができる。
【００７１】
絶縁体は、無機断熱材料（例えば、断熱ナノ粒子）内に配置されたバインダを含むことができる。いくつかのバリエーションでは、バインダは、目的の温度で揮発性になるポリマー、分子又は両方を含むことができる。そのような揮発性は、相変化（例えば、昇華、溶融、沸騰、など）、分解（例えば、化学分解、燃焼、など）、又はそれらの任意の組み合わせを含むことができる。バインダとして使用され得るポリマーの非限定的な例としては、ポリアルキルカーボネート（例えば、ポリプロピレンカーボネート及びポリエチレンカーボネート）、シアノアクリレート、及びポリブチルアクリレート）、ポリエーテル（例えば、ポリエチレングリコール）、ポリテトラフルオロエチレン（ＰＴＦＥ）、ポリビニルアルコール、リグノスルホネート、メチルセルロース、パラフィン、ポリアクリレート（例えば、ポリメチルメタクリレート（ＰＭＭＡ））、シリコーン、オルガノシラン、デンプン、デキストリン、及びワックスエマルジョンが挙げられる。他の態様では、バインダは、ナフタレン、フェロセン、シクロドデカンを含むことができる。いくつかのバリエーションでは、バインダは、熱伝導性添加剤で充填されて周囲温度の熱伝導性を改善することができる。そのような添加剤は、炭素繊維、カーボンブラック、カーボンナノチューブ、高度に配向したポリマー（例えばポリエチレン）、又は金属ナノワイヤを含むことができる。
【００７２】
揮発すると、バインダは、無機断熱材料から出るガス、液体又はそれらの組み合わせを形成する。バインダは、通常のバッテリの動作条件などの、より低温では揮発しない。バインダの揮発前には、絶縁体は揮発後よりも大きな熱伝導率を有することが理解されよう。いくつかのバリエーションでは、絶縁体は、バインダの揮発前に、より大きな機械的強度を有することもできる。機械的強度の非限定的な例としては、引っ張り強度、圧縮強度、曲げ強度、せん断強度、及び疲労強度（例えば、耐振動性）が挙げられる。他のタイプの機械的強度が可能である。
【００７３】
別の態様では、バインダは１気圧で５００℃以下の揮発温度を有する。１つの代替形態では、バインダは１気圧で４００℃以下の揮発温度を有する。別の代替形態では、バインダは１気圧で３００℃以下の揮発温度を有する。別の代替形態では、バインダは１気圧で２５０℃以下の揮発温度を有する。別の代替形態では、バインダは１気圧で２００℃以下の揮発温度を有する。別の代替形態では、バインダは１気圧で１７５℃以下の揮発温度を有する。別の代替形態では、バインダは１気圧で１５０℃以下の揮発温度を有する。別の代替形態では、バインダは１気圧で１００℃以下の揮発温度を有する。
【００７４】
いくつかの実施形態では、バインダは少なくとも６０℃まで熱的に安定である。いくつかの実施形態では、バインダは少なくとも７５℃まで熱的に安定である。いくつかの実施形態では、バインダは少なくとも９０℃まで熱的に安定である。通常の動作条件下では、バインダは、最先端の多孔質絶縁体よりも優れた機械的性質を断熱材に与えることが理解されよう。
【００７５】
いくつかのバリエーションでは、揮発温度は８０〜２５０℃の範囲を有することができる。いくつかのバリエーションでは、揮発温度は１２０〜１６０℃の範囲を有することができる。いくつかのバリエーションでは、揮発温度は１５０〜２２０℃の範囲を有することができる。温度のバリエーションはデザイン又は材料の違いに基づいて選択され得ることが認識されよう。
【００７６】
バインダが絶縁体中に存在する場合、絶縁体は、その未充填の変形体に対して機械的特性の向上を呈することができる。これらの機械的特性の向上は、限定なしに、引っ張り強度の向上、圧縮強度の向上、曲げ強度の向上、せん断強度の向上、疲労強度の向上（例えば、耐振動性の向上）を含む。絶縁体は、熱伝達を支持できる固体物質の増加により、より高い熱伝導率を呈することができる。バインダは、バインダが相変化し、分解し、又はその両方を行う揮発温度を決定するために選択され得る。バインダは、絶縁体の機械的性質及び熱伝導率を決定するために、タイプ及び体積分率によっても選択され得る。
【００７７】
バインダが揮発した後など、絶縁体中にバインダが存在しない場合、ガス分子（例えば、空気分子）は、その中の細孔を拡散することにより、絶縁体を横切ることができる。しかし、ガス分子の平均自由行程は、妨害されていない開放容積（例えば、周囲空間の空気）に対して低減される。この低減された平均自由行程は、絶縁体を通る熱伝達を低減する多孔質構造内に低い熱対流を生成する。無機断熱材料が断熱ナノ粒子で形成されている場合、断熱ナノ粒子は低接触面積の点で会合する。そのような低接触面積は、絶縁体を通る熱伝達を妨げることができ、低い熱伝導をもたらす。低熱対流と低熱伝導の組み合わせは、絶縁体に高効率断熱体としての機能を与える。
【００７８】
図５は、いくつかの例示的実施形態に係る、曲げ強度対異なるバインダ装填量を有する絶縁体の装填量の代表的グラフ５００を示す。縦軸５０２は約０〜１５００ｋＮ／ｍ2の曲げ強度にわたり、横軸５０４は体積分率で０〜約０．８５のバインダ装填量にわたる。破線の縦線５０６は、絶縁体の内部の細孔の全体積によって決定されるバインダ装填量の理論的最大値を示す。グラフ５００内の各データ点５０８は、３点負荷で試験される単一の試験片に対応する。バインダはＰＭＭＡであり、それは熱的に絶縁材料の細孔内でその場で重合されるか、又は無機断熱材料内に吸収されるかのいずれかである。図５に示すように、絶縁体の曲げ強度はバインダの装填量とともに増加する。０．６超のバインダ装填量は、曲げ強度を未充填の絶縁体（すなわち、０のバインダ装填量）のそれのほとんど３０倍を増加させることができる。図５は代表的な機械的特性として曲げ強度を示すが、この提示は図示の目的のみのためのものである。絶縁体の内部のバインダの存在は、引っ張り強度、圧縮強度、曲げ強度、せん断強度、疲労強度（例えば、耐振動性）、などの他の機械的特性を増加又は向上させることができる。
【００７９】
図６は、いくつかの例示的実施形態に係る、熱処理を受ける絶縁体の質量損失の代表的なグラフ６００を示す。絶縁体は、０．７２に充填されたＰＭＭＡのバインダを含む。縦軸６０２は約３０％〜１００％の質量パーセントにわたるが、横軸６０４は約０〜７５０℃の温度にわたる。温度が徐々に上昇されたときの絶縁体の質量を示す曲線６０６がプロットされる。絶縁体内に配置されたバインダは約１７８℃で揮発し始め（矢印６０８参照）、約４２５℃完全に約揮発される。一般に、バインダは、熱的に誘導される揮発のプロファイル（例えば、開始及び終了温度、曲線形状、など）を予め決定するための組成で選択され得ることが理解されよう。図６はＰＭＭＡに関連付けられた質量損失を描くが、この描写は限定的なものとして意図されていない。別のバインダ及びバインダの組み合わせを使用することができる。
【００８０】
図７は、いくつかの例示的実施形態に係る、バインダが充填されていない絶縁体、バインダが充填された絶縁体、及びバインダバーンアウトの後の絶縁体の試験片の熱伝導率の代表的グラフ７００を示す。バインダ充填された絶縁体の試験片は、バインダとしてＰＭＭＡを利用し、その後、加熱中に揮発されてバーンアウト後の絶縁体の試験片を生成する。縦軸７０２は対数スケールを使用し、約０．０１〜０．５Ｗ／ｍ・Ｋの範囲にある。熱伝導率の値は、３つのグループで、各タイプの試験片に対して１つ示される（すなわち、横軸７０４参照）。ボックスプロット７０６が、データポイントの各グループにわたって置かれ、最大値７０８及び最小値７１０を示す。ボックスプロット７０４は、中央部７１２、第１の４分位点７１４、及び第３の４分位点７１６も示す。
【００８１】
ボックスプロット７０６によって示されるように、未充填の絶縁体の試験片に関連付けられた熱伝導率は、揮発後の絶縁体ポストの試験片に関連付けられた熱伝導率と同様である。したがって、加熱中のバインダが揮発により、揮発後の絶縁体の試験片がその半揮発性の熱伝導率に回復する。更に、そうでなければ未充填の絶縁体の試験片中のバインダの存在は熱伝導率を増加させることができる。図７に描く代表例では、この増加分は１桁を超える大きさである。
【００８２】
絶縁体は、様々な方法を用いて製造され得る。１つの任意選択では、絶縁体を製造することは、絶縁体を基板（例えば、金属箔）上に湿式コーティングするステップを含むことができる。あるいは、絶縁体を基板に適用することができ、基板をフレキシブルな状態で容器に巻き付けることができる。絶縁体は、容器に直接適用され得る。湿式コーティング適用のステップは、浸漬コーティング、スプレーコーティング、ダイコーティング、ナイフコーティング、インクジェット印刷、グラビア印刷、又はスクリーン印刷を含むことができる。バインダが使用されて、絶縁体の熱的性質に対する負の衝撃を最小にするように、絶縁体と金属箔の間の接着を向上させることができる。
【００８３】
あるいは、湿式コーティングは、セラミック、乳白剤、繊維状材料、及び溶解又は懸濁バインダを含むことができる。そのような湿式コーティング方法は、浸漬コーティング、スプレーコーティング、ダイコーティング、ナイフコーティング、インクジェット印刷、グラビア印刷、又はスクリーン印刷を含むことができる。絶縁体の製造方法は、絶縁セラミック、乳白剤、セラミック繊維、及びバインダを含む混合物の押し出しと、絶縁セラミック、乳白剤、セラミック繊維、及びバインダを含む混合物の射出成形と、予め形成された多孔質無機断熱材料への溶解バインダの含浸と、予め形成された多孔質無機断熱材料へのバインダ前駆体の含浸に続くその前駆体の重合と、を含む。前述の製造方法の任意の組み合わせが可能であることが理解されよう。
【００８４】
別の例示的実施形態によれば、バッテリセルの周りなどの基板上に絶縁体を製造する方法は、基板表面（例えば、バッテリセルカン表面）上に絶縁体をスプレーコーティングし、次いでスプレーされたまま絶縁体を乾燥させることによって達成され得る。絶縁体は、その中に懸濁粒子を含む流体を用いてスプレーされてもよい。この流体は乳白剤も含むことができる。流体は、化合物を含有してバッテリセルへの絶縁体の接着を改善することができる。この方法は、絶縁体を金属箔でラッピングするステップも含む。いくつかの実施形態では、その方法は、続いてスプレーされた絶縁体を圧縮するステップを含む。
【００８５】
別の例示的実施形態によれば、基板（例えば、バッテリセル）の周囲に絶縁体を製造する方法は、基板（例えば、バッテリセル）の周囲の壁に絶縁体前駆体のスラリを注ぎ、注がれたままの絶縁体を乾燥させることによって、達成され得る。乾燥された絶縁体の壁厚は、バッテリセルのなどの）構成要素の体積膨張が乾燥された絶縁体を所定の密度に圧縮するように、選択され得る。いくつかの実施形態では、その方法は２つの壁を使用することができ、各壁は剛性である。これらの実施形態では、絶縁体は、基板（例えば、バッテリセル）に接触し得る内壁と外壁の間に配置され得る。その方法は、乾燥された絶縁体を等方的に熱間プレスして緻密化された絶縁体を形成するステップも含むことができる。
【００８６】
表１は、スラリコーティングにより絶縁体を作製する例を示す。ヒュームドシリカＳｉＯ2無機断熱材料、ＳｉＣ乳白剤、及びガラス繊維を含む基板は、ＳｉＯ2：ＳｉＣ：ガラス繊維：０．５５：０．４０：０．０５の比率で組み合わされている。溶媒に６０重量％の２００ｋＤａポリプロピレンカーボネート（ＰＰＣ）バインダを添加した。これらの成分は、シンキーミキサー（すなわち、遊星遠心ミキサー）で混合された。混合後、結合された成分は基板上にコーティングされた。溶媒を蒸発させた。それにより、ＳｉＯ2、ガラス繊維、ＳｉＣ、及びＰＰＣを含む絶縁体が基板上に塗布された。
【表１】
2020170707.tif 000003
【００８７】
ＰＰＣバインダは、絶縁体からバーンアウトされた。得られた混合物の熱伝導率は、１００℃で０．０２０Ｗ／ｍ・ｋに測定された。
【００８８】
いくつかのバリエーションでは、バインダを溶媒に溶解して溶液を形成し、絶縁体を溶液に暴露し（例えば、浸漬する）、バインダを絶縁体の細孔内に堆積させることによって、バインダを絶縁体に組み込むことができる。そのような堆積は、溶液から溶媒を蒸発させること、堆積剤を溶液に加えること（例えば、バインダに対して低い溶解度を有する第２の溶媒を添加すること）などによって誘導され得る。
【００８９】
表２は、無機断熱材料にバインダを吸着させることによって調製された絶縁体を表す。ＰＭＭＡ又はＰＰＣのバインダをＳｉＯ2無機断熱材料、ＳｉＣ乳白剤、及びガラス繊維に吸着させた。ＳｉＯ2（無機断熱材料）：ＳｉＣ（乳白剤）：ガラス繊維が６０：３８：２の比率の、０．４ｇ／ｍＬの密度の混合物を使用した。バインダの異なる組み合わせが組み合わされた。いくつかの場合、界面活性剤（ＢＹＫ−３３３、ＢＹＫ  Ａｄｄｉｔｉｖｅｓ  ＆  Ｉｎｓｔｒｕｍｅｎｔｓ，Ｇｅｒｅｔｓｒｉｅｄ，Ｇｅｒｍａｎｙ）が添加された。
【００９０】
得られた絶縁体の割れ及び曲げ強度を測定した。一般に、バインダ負荷が増大することにより、無機断熱材料基板の割れが増加する。バインダが存在しない場合、又は非常に低いバインダ重量％では、３点曲げ強度試験を使用して、測定された曲げ強度は、ないかほとんどないかのいずれかであった。
【表２】
2020170707.tif 000004
【００９１】
別の例では、無機断熱材料をバインダとその場重合によって結合させることにより、絶縁体を形成することができる。例えば、絶縁体のサンプルは、バインダモノマー（例えば、メチルメタクリレート（ＭＭＡ））、バインダ（例えば、ＰＭＭＡ）、及び１つ以上の開始剤（例えば、ＤＭＴ又はＢＰＯ）の混合物中に浸漬され得る。その混合物は重合され得る。得られた材料の表面からエンドミルを用いて余剰のバインダを除去し、バインダ含浸絶縁体を生成することができる。
【００９２】
表３は、その場重合によって形成された絶縁体の例を示す。ＳｉＯ2（無機断熱材料）：ＳｉＣ（乳白剤）：ガラス繊維を６０：３８：２の比率で０．４ｇ／ｍＬの密度で使用した。ＭＭＡ、ＰＭＭＡ、及び１つ以上の開始剤の混合物をジクロロメタン、アセトンなどの溶媒に溶解して溶液を形成した。開始剤ＢＰＯ及びＤＭＴをその溶液に添加した。
【００９３】
その溶液を２０℃、７０℃又は１２０℃の温度で０．１６時間〜１６時間にわたり５回まで別々の時間期間浸漬した。結合されたＳｉＯ2、ＳｉＣ及びガラス繊維を、バインダ、溶媒及び開始剤に２０℃で、１．１６〜０．３３時間、１．５時間又は１６時間のいずれかの浸漬時間浸漬した。組成物を、２０℃又は７０℃で０．１６〜０．８３時間、１時間又は１６時間、第２の時間浸漬した。組成物を２０℃、７０℃又は１２０℃で１時間、１２時間又は１６時間、第３の期間浸漬した。いくつかの組成物を２０℃、７０℃、又は１２０℃で１時間又は１６時間のいずれかで第４の期間浸漬した。いくつかの組成物を２０℃、７０℃、又は１２０℃で１時間、１２時間又は１６時間、第５の期間浸漬した。
【００９４】
バインダが揮発される前後の曲げ強度及び熱伝導率を測定した。得られた絶縁体の曲げ強度、製作時の熱伝導率、及びバーンアウト後の熱伝導率を測定した。一般に、バインダがない場合、又は非常に低いバインダ重量％の場合、測定された曲げ強度はないか、又はほとんどないかのいずれかである。７８重量％のバインダ充填率では、製造時の化合物の熱伝導率は０．３７Ｗ／ｍ−Ｋであり、これはバインダバーンアウト後に０．０３１Ｗ／ｍ−Ｋに低下した。
【表３】
2020170707.tif 000005
2020170707.tif 000006
【００９５】
別の例では、ポリメチルメタクリレート（ＰＭＭＡ）をジクロロメタン（すなわち、ＣＨ2Ｃｌ2）に溶解して溶液を形成することができる。次いで、絶縁体を溶液中に浸漬して、絶縁体の細孔内に溶液を湿潤含浸させることができる。浸漬した絶縁体を２時間乾燥させ、次いで５０℃で３時間真空下で加熱する。
【００９６】
別の例では、無機断熱材料をバインダスラリでコーティング（すなわち、スラリコーティング）することによって、絶縁材を形成することができる。ＳｉＯ2、ＳｉＣ又はガラス繊維などの無機断熱材料を、バインダ及び溶媒と組み合わせて混合する。その混合物を基板（例えば、アルミニウム箔などの箔）にコーティングし、次いで真空下で加熱して溶媒を除去し、絶縁体を生成することができる。
【００９７】
具体的には、別の例では、ポリマー含浸技術によって、バインダを絶縁体に添加することができる。一例では、ＰＭＭＡ及びＭＭＡモノマーをジクロロメタン又はアセトンに溶解して溶液を形成した。次いで、絶縁体を溶液中に浸漬して、絶縁体の細孔内に溶液を湿潤含浸させることができる。ベンゾイルペルオキシド（ＢＰＯ）及びｎ，ｎ−ジメチル−ｐ−トルイジン（ＤＭＴ）などの開始剤を溶液に添加し、絶縁体を再び浸漬する。溶液から絶縁体を除去し、室温で１〜１６時間硬化させる。続いて、絶縁体を、５０℃を超える温度で、追加の時間期間（例えば、７０℃で１時間）硬化させることができる。
【００９８】
更なる例では、圧縮成形の様々な方法によって絶縁体を形成することができる。１つの圧縮成形方法では、ヒュームドＳｉＯ2、ＳｉＣ、ガラス繊維、ポリプロピレンカーボネート、及びメチルエチルケトンを混合し、均質になるまで混合することができる。混合物を、基板（例えば、マイラー）上に堆積させ、乾燥させることができる（例えば、１〜１２時間）。乾燥された材料は、ダイに入れ、加熱し（例えば、７０℃に）、プレスし（例えば、約５トンの圧力）、絶縁体を生成する。
【００９９】
表４は、ヒュームドシリカ並びに圧縮成形によって調製された２００ｋＤａ及び１０ｋＤａのＰＰＣバインダの重量％の組み合わせを含む絶縁体を表す。ヒュームドＳｉＯ2、ＳｉＣ、ガラス繊維、２００ｋＤａ  ＰＰＣの異なる組み合わせを組み合わせ、バンベリーミキサー又は二軸スクリュー押出機を用いて混合した。パドルミキサーの実施形態では、１０ｋＤａ  ＰＰＣ及びメチルエチルケトンを添加した。組み合わされた成分を均質になるまで混合した。パドルミキサーの実施形態では、混合物をマイラー基板上に堆積させ、一晩乾燥させた。乾燥した材料を５０×５０×５ｍｍのダイに入れ、７０℃に加熱し、約５トンの圧力で加圧してバインダ含浸絶縁体を生成した。
【表４】
2020170707.tif 000007
【０１００】
バーンアウトバインダのバーンアウト前後の絶縁体密度を様々なサンプルについて測定した。パドル混合物又はバンベリーミキサーを用いて混合された絶縁体の熱伝導率は０．０２８〜０．１２５Ｗ／ｍ−Ｋであった。一般に、熱伝導率は、材料密度の増加とともにより高く増加した。
【０１０１】
圧縮成形の更なるバリエーションでは、ヒュームドＳｉＯ2、ＴｉＯ2、ガラス繊維、及びポリプロピレンカーボネートを、混合物が均一になるまで高温（例えば、７０℃）で（例えば、バンベリーミキサー中で）混合した。その混合物をダイに添加し、加熱し（例えば、７０℃）、加圧して（例えば、約５トンの圧力で）、絶縁体を生成した。
ＩＩ．Ｂ．平均自由行程が低減された絶縁体
【０１０２】
他の態様では、絶縁体は、多孔質構造の外側のガスと比較して、絶縁体中のガスの平均自由行程を減少させるように構成された多孔質構造を形成する、無機の断熱材料を含む絶縁体である。いくつかの態様では、無機断熱材料は、多孔質構造を形成するナノ粒子であることができる。ナノ粒子間の空間は、絶縁体内で細孔を形成し、周囲のガスに比較して絶縁体内のガスの平均自由行程を減少させる。多孔質構造は、そこを通るガスの低減された平均自由行程を有する。様々な態様では、絶縁体は、第１及び第２のバッテリセル及び／又はバッテリブロックの間に配置され得るが、他の非バッテリ関連用途が考えられる。絶縁体は、バッテリ用途に限定されず、あらゆる用途に使用され得ることが認識されよう。更に、無機断熱材料は、本開示に記載される無機断熱材料であり得ることが認識されよう。
【０１０３】
特定の機構又は作用モードに拘束されることを望むことなく、無機断熱材料は、より熱い表面からより冷たい表面に移動する熱流に対して抵抗性を提供する。この熱抵抗は、絶縁体の経路に沿って繰り返し狭窄を生じる接触面積の減少に起因し得る。断熱ナノ粒子から形成された絶縁体のバルク熱伝導率、λsolidは、１０-2Ｗ／ｍ・Ｋ以下のオーダーであり得る。例えば、限定なしに、断熱二酸化ケイ素粒子から形成された絶縁体は、１０-3Ｗ／ｍ・Ｋのバルク熱伝導率を有することができる。一方、石英（すなわち、単結晶又は多結晶の二酸化ケイ素）は、１０0Ｗ／ｍ・Ｋのオーダー、又は約３桁高いバルク熱伝導率を有することができる。
【０１０４】
更に、いかなる科学的原理又は作用モードに限定されることを望むものではないが、絶縁体は全体として有効な熱伝導率、λを呈する。λは、熱伝導、熱対流、及び熱輻射のモードにおける熱流に対する抵抗を表す。熱伝導は、他の固体と接触している固体を含む固体を主に介して熱輸送を伴う。熱伝導は、バルク熱伝導率、λsolid又はλbulkによって定量化され得る。熱対流は主に流体（例えば、ガス、液体、など）を介して熱輸送を伴い、ガスについてはバルク熱対流、λgasによって定量化され得る。同様に、熱輻射は、異なる温度の物質間での電磁放射の正味の交換を含み、バルク熱輻射、λradに定量化され得る。したがって、全体の有効熱伝導率λは、バルク熱伝導率、λsolid又はλbulk、バルク熱対流、λgas及びバルク熱輻射、λradからの寄与によって影響される。
【０１０５】
いくつかの態様では、本明細書に記載のように、絶縁体は、コア−シェル形態を有する多機能断熱ナノ粒子を含み、球状コアは、絶縁体及び乳白剤の層で交互にコーティングされる。これらの多機能ナノ粒子は、高い球形度を提供することができ、製造中にサイズを制御することができる。多機能ナノ粒子の存在により、絶縁体はバルク熱伝導率の減少（すなわち、λsolidの減少）を呈することができ、それは均一なナノ粒子を有する絶縁体の１／１０よりも良好であり得る。更に、絶縁体は、λsolidとλgas及びλradの改質の間でより良好なトレードオフを提供する。
【０１０６】
いくつかの態様では、絶縁体は、本明細書で論じるように、任意選択で、圧縮された断熱性ナノ粒子、又は代替的にはエアロゲルを含むことができる。多孔質構造は、周囲空気に対する内部の空気の平均自由行程を減少させる。絶縁体では、高い多孔性及び結果としての絶縁粒子間の低い接触面積により、熱流が遅くなり、低熱伝導率のより大きな固体が可能になる。更に、構造内の固体境界は低い熱対流をもたらす。
【０１０７】
いくつかのバリエーションでは、絶縁体は、構造的に異なる材料の交互の層をそれぞれ有する複数の断熱ナノ粒子を含む。例えば、限定なしに、構造的に異なる材料の交互の層は、タングステンと酸化アルミニウムの交互の層を含むことができる。複数の断熱性ナノ粒子において、有効熱抵抗率は、交互層の間の界面抵抗に由来する。
【０１０８】
図８は、例示的一実施形態に係る、個々の多機能断熱ナノ粒子８００の断面図を描く。多機能断熱ナノ粒子８００は、構造的に異なる材料の交互の層が同心のシェルを形成するコア８０２を含む。コア８０２は、球形を有するものとして描かれているが、他の形状が可能である。いくつかの実施形態では、コア８０２は、酸化ケイ素材料（例えば、ＳｉＯ2）などの無機断熱材料から形成され得る。交互の層は、各々絶縁体層（例えば、酸化アルミニウム）又は乳白剤層（例えばタングステン）のうちの１つであることができる第１の層８０４ａ、８０４ｂ、８０４ｃ及び８０４ｄ、並びに絶縁層乳白剤層の他方である第２の層８０６ａ、８０６ｂ、８０６ｃ及び８０６ｄ、を含む。図８に描く場合では、絶縁体層はまとめて第１の層８０４と呼ばれる。乳白剤層は、まとめて第２の層８０６と呼ばれる。各層の１つ以上の層が、多機能断熱ナノ粒子に含まれ得る。粒子は、絶縁体層又は不透明化層のいずれかで終結し得ることが認識されよう。いくつかのバリエーションでは、最外層は、接触中に粒子間導電性を低減するために、より低い熱伝導率を有することができる。
【０１０９】
第１の層８０４及び第２の層８０６の材料は、層界面におけるフォノン分散を最大にするために、異なる原子構造、硬さ、デバイ温度、又はそれらのいくつかの組み合わせを有してもよい。第１の層８０４及び第２の層８０６の材料に関連付けられたデバイ温度は、２を超える比率を呈することができる。例えば、理論によって限定されるものではなく、２．６の比は、酸化アルミニウム（ＴD＝１０４７Ｋ）とタングステン（ＴD＝４００Ｋ）の交互の層に対応する。更に、いくつかの実施形態では、層８０４、８０６は非晶質であってもよい。これらの実施形態では、層８０４、８０６の非晶質性は、熱伝導率の低下に寄与することができる。表５には、材料の代表例とその関連するデバイ温度が示されている。
【表５】
2020170707.tif 000008
【０１１０】
第１の層８０４及び第２の層８０６の他の材料の組み合わせは、それぞれ、シリカ及びカーボン、シリカ及び炭化ケイ素、シリカ及び酸化チタン、シリカ及びアルミニウム、並びにシリカ及び窒化アルミニウムを含む。
【０１１１】
追加の要因が、第１の層８０４及び第２の層８０６の材料の選択に影響を及ぼし得る。例えば、限定なしに、第１の層８０４及び第２の層８０６の材料は、−７０℃と１００℃の間の熱サイクルに対する交互の層構造の堅牢性を改善するように選択され得る。第１の層８０４及び第２の層８０６の材料は、互いに化学的不活性を呈するようにも選択され得る。そのような不活性は、加熱中に低い反応性を付与することができる。
【０１１２】
断熱ナノ粒子８００は、当業者に既知のプロセスを用いて、コア−シェルタイプ粒子を製造することができる。そのようなプロセスには、原子層堆積、化学蒸着、懸濁液からの溶液コーティング、などが含まれる。これらのプロセスでは、コア８０２は直径が所望の最終粒子未満になることが理解されよう。
【０１１３】
いくつかの実施形態では、断熱ナノ粒子８００の全体の粒子サイズは５０ｎｍ未満である。いくつかの実施形態では、全体の粒子サイズは４０ｎｍ未満である。いくつかの実施形態では、全体の粒子サイズは２０ｎｍ未満である。いくつかの実施形態では、全体の粒子サイズは１０ｎｍ未満である。いくつかの実施形態では、断熱ナノ粒子は、粒子サイズの多峰性分布を呈する。
【０１１４】
層８０４、８０６の厚さは０．５〜５ｎｍの範囲であり、より薄い層は交互構造を通るフォノンの伝播を妨害するのが好ましい。いくつかの実施形態では、第１の層８０４の厚さは１ｎｍ未満である。いくつかの実施形態では、第２の層８０６の厚さは１ｎｍ未満である。いくつかの実施形態では、第１の層８０４及び第２の層８０６の厚さは両方１ｎｍ未満である。
【０１１５】
図９は、例示的実施形態に係る、断熱ナノ粒子９００を用いて形成された多機能絶縁体９０２の一部の断面図を描く。絶縁体９００では、個々の断熱ナノ粒子９０２が凝集して、開放セル、閉鎖セル、又はそれらの組み合わせであり得るセル９０４を形成する。いくつかの実施形態では、セル９０４は、実質的に全て閉鎖セルである。セル９０４が寸法的に拡張されて、実質的に任意の大きさ及び形状の固体を生成し得ることが理解されよう。しかしながら、非固体セルの体積により、これらの物体は、絶縁体９００、より具体的には、バッテリセル用の絶縁体９００として機能することができる。
【０１１６】
断熱性ナノ粒子９０２は、隣接する粒子間の接触表面積を減少させるために高い球形度を有する。接触の低減された表面積は、粒子間の熱の流れに利用可能な界面を低下させ、それによって、絶縁体９００の全体の熱伝導率を低下させる。例えば、限定なしに、二酸化ケイ素の球状のナノ粒子は、点接触を含み得る減少した接触面積で凝集して接触することができる。そのような凝集体は、異なる温度の２つ以上の表面を架橋する絶縁体を形成することができる。その中のナノ粒子は、より熱い表面からより冷たい表面に移動する熱流に対する抵抗を提供する。熱抵抗は接触面積の減少に起因し、絶縁体本体内の粒子間経路に沿って繰り返し狭窄を生じる。二酸化ケイ素の球状ナノ粒子から形成される絶縁体のバルク熱伝導率、λsolidは、１０-3Ｗ／ｍ・Ｋ以下のオーダーであり得る。一方、石英（すなわち、単結晶又は多結晶の二酸化ケイ素）は、１０0Ｗ／ｍ・Ｋのオーダー、又は約３桁高いバルク熱伝導率を有することができる。
【０１１７】
いくつかの実施形態では、絶縁体９００は封止されており、断熱ナノ粒子９０２が接触点で結合されて（例えば、加熱を介して）閉鎖セルを生成するセル９０４を含むことができる。シールは、８００℃を超えて安定である金属又はセラミック結合によって形成され得る。これらの実施形態のいくつかでは、閉鎖セルは１０1ｔｏｒｒ未満の空気圧に排気される。これらの実施形態の他のものでは、空気は、空気よりも低い熱伝導率及び真空よりも低い漏れ率を有するＡｒ、Ｋｒ又はＸｅで置換され得る。
【０１１８】
いくつかの態様では、熱イベント後、絶縁体９１０の多孔質構造は、自由な、制限されていない空間に対するガス分子の平均自由行程を抑制することができる。これは、例えば、多孔質構造が閉鎖セルを含む場合に起こり得る。そのような場合、対流による熱輸送は抑制される。例として、限定なしに、空気中の分子の平均自由行程は約２００℃超で増加し、直線的に増加し得る。しかし、断熱ナノ粒子（例えば、二酸化ケイ素の球状粒子）から形成された絶縁体では、絶縁体を通る空気の平均自由行程は、所与の温度、例えば約２００℃超でほぼ一定に保つことができる。その温度は、細孔構造及び細孔サイズに依存して変化し得る。
【０１１９】
例示的実施形態によれば、絶縁体９００は、断熱ナノ粒子９０２を可溶性、昇華性、又は別途除去可能な「充填材」材料と混合し、緻密な成形体に成形（例えばプレス）することによって製造され得る。「充填剤」材料の除去は、セル９０４を残すであろう。しかしながら、絶縁体９００の他の製造方法が可能である。
【０１２０】
いくつかの実施形態では、断熱ナノ粒子９０２は、２つの層のうちの一方が赤外線放射を強く吸収する材料で形成された交互のシーケンスの層を含むことができる。様々な態様では、乳白剤層は、２５０℃を超える温度で１×１０4ｍ-1を超える平均吸光係数を有する。これらの実施形態では、絶縁体９００は、その中に別個の赤外線吸収材料を必要としなくてもよい。
【０１２１】
例示的な実施形態によれば、バッテリセルの周囲に絶縁体を製造する方法は、絶縁体前駆体のスラリをバッテリの周りの壁に注ぐステップと、注がれた絶縁体を乾燥させるステップとを含む。その方法は、セルを形成することを更に含む。乾燥された絶縁体の壁厚は、セルの体積膨張が乾燥された絶縁体を所定の密度に圧縮するように選択される。いくつかの実施形態では、その方法は２つの壁を使用することができ、各壁は剛性である。これらの実施形態では、絶縁体は、バッテリセルと接触し得る内壁と外壁の間に配置され得る。
【０１２２】
絶縁体のバリエーションは、多孔質構造を形成する無機断熱材料を含む。ヒュームド二酸化ケイ素繊維の断熱ナノ粒子を含有する絶縁体を調製した。絶縁体は、ＳｉＣ乳白剤と組み合わされた。繊維重量％、ＳｉＣ乳白剤重量％、及び密度を測定した。４４０℃における絶縁体の熱伝導率を、いくつかのサンプルについて測定した。
ＩＩ．Ｃ．ポリマーコーティングされた絶縁体
【０１２３】
更なるバリエーションでは、本開示は、無機断熱材料及びその無機断熱材料の表面上に配置されたポリマーコーティングを含むポリマーコーティングされた絶縁体に関する。
【０１２４】
本明細書に記載のように、無機断熱材料の「上に配置された」ポリマーコーティングは、ポリマーコーティングの少なくとも一部が無機断熱材料内に埋め込まれた実施形態を含む。そのようなバリエーションでは、ポリマーコーティングと無機断熱材料の間の接着性を高めることができる。
【０１２５】
様々な態様では、無機断熱材料はシリカ系であることができる。シリカ系無機断熱材料は、シリカ系材料、繊維、溶融シリカ、エアロゲル、又はそれらの組み合わせであることができる。例えば、いくつかのバリエーションでは、シリカ系無機断熱材料は、ヒュームドシリカ、ＳｉＣ及びＳｉＯ2繊維を含むことができる。他のバリエーションでは、無機断熱材料はセラミック材料であることができる。いくつかのバリエーションでは、材料は少なくとも５００℃以下の温度で分解しない。
【０１２６】
ポリマーコーティングは、無機断熱材料の表面に配置され得る。様々な非限定的な実施形態では、ポリマーは、当技術分野で既知の任意の有機系又はシリコーン系ポリマーであることができる。例示的ポリマーは、ポリウレタン、エポキシ、ポリアクリレート、ポリエステル、及びポリイミドを含むことができる。
【０１２７】
ポリマーコーティングは、無機断熱材料に接着するポリマーから形成され得る。更に、ポリマーコーティングは、熱安定性の高い材料から形成され得る。いくつかのバリエーションでは、ポリマーコーティングは８０℃までの温度で劣化しない。いくつかのバリエーションでは、ポリマーコーティングは１２０℃までの温度で劣化しない。いつかのバリエーションでは、ポリマーコーティングは１６０℃までの温度で劣化しない。いくつかのバリエーションでは、ポリマーコーティングは２００℃までの温度で劣化しない。更に、ポリマーコーティングは、１００〜９００℃の温度範囲で加熱すると毒性化合物を生成しない。
【０１２８】
ポリマーコーティングは、無機断熱材料への平均浸透深さを有することができる。いくつかのバリエーションでは、ポリマーコーティングは、無機断熱材料中に少なくとも平均１ミクロン浸透することができる。いくつかのバリエーションでは、ポリマーコーティングは、無機断熱材料中に少なくとも平均５ミクロン浸透することができる。いくつかのバリエーションでは、ポリマーコーティングは、無機断熱材料中に少なくとも平均１０ミクロン浸透することができる。いくつかのバリエーションでは、ポリマーコーティングは、無機断熱材料中に少なくとも平均２５ミクロン浸透することができる。いくつかのバリエーションでは、ポリマーコーティングは、無機断熱材料中に少なくとも平均５０ミクロン浸透することができる。いくつかのバリエーションでは、ポリマーコーティングは、無機断熱材料中に少なくとも平均１００ミクロン浸透することができる。いくつかのバリエーションでは、ポリマーコーティングは、無機断熱材料中に少なくとも平均２００ミクロン浸透することができる。いくつかのバリエーションでは、ポリマーコーティングは、無機断熱材料中に少なくとも平均３００ミクロン浸透することができる。
【０１２９】
いくつかのバリエーションでは、ポリマーコーティングは、無機断熱材料中に平均３００ミクロン未満浸透することができる。いくつかのバリエーションでは、ポリマーコーティングは、無機断熱材料中に平均２００ミクロン未満浸透することができる。いくつかのバリエーションでは、ポリマーコーティングは、無機断熱材料中に平均１００ミクロン未満浸透することができる。いくつかのバリエーションでは、ポリマーコーティングは、無機断熱材料中に平均７５ミクロン未満浸透することができる。いくつかのバリエーションでは、ポリマーコーティングは、無機断熱材料中に平均５０ミクロン未満浸透することができる。いくつかのバリエーションでは、ポリマーコーティングは、無機断熱材料中に平均２５ミクロン未満浸透することができる。いくつかのバリエーションでは、ポリマーコーティングは、無機断熱材料中に平均１０ミクロン未満浸透することができる。いくつかのバリエーションでは、ポリマーコーティングは、無機断熱材料中に平均５ミクロン未満浸透することができる。
【０１３０】
ポリマーコーティングの厚さは、無機断熱材料上へのポリマーコーティングの堆積中に制御され得る。ポリマーコーティングの厚さを制御することにより、無機断熱材料の機械的特性を制御することができる。したがって、無機断熱材料上に配置されたポリマーコーティングの耐引っかき性及び接着性は、無機断熱材料単独に対する耐引っかき性及び接着性よりも改善され得る。
【０１３１】
いくつかのバリエーションでは、ポリマーコーティングの厚さは、平均３００ミクロン以下である。いくつかのバリエーションでは、ポリマーコーティングの厚さは、平均２５０ミクロン以下である。いくつかのバリエーションでは、ポリマーコーティングの厚さは、平均２００ミクロン以下である。いくつかのバリエーションでは、ポリマーコーティングの厚さは、平均１５０ミクロン以下である。いくつかのバリエーションでは、ポリマーコーティングの厚さは、平均１００ミクロン以下である。いくつかのバリエーションでは、ポリマーコーティングの厚さは、平均５０ミクロン以下である。
【０１３２】
いくつかのバリエーションでは、ポリマーコーティングの厚さは、平均少なくとも２５ミクロンである。いくつかのバリエーションでは、ポリマーコーティングの厚さは、平均少なくとも５０ミクロンである。いくつかのバリエーションでは、ポリマーコーティングの厚さは、平均少なくとも７５ミクロンである。いくつかのバリエーションでは、ポリマーコーティングの厚さは、平均少なくとも１００ミクロンである。いくつかのバリエーションでは、ポリマーコーティングの厚さは、平均少なくとも１２５ミクロンである。いくつかのバリエーションでは、ポリマーコーティングの厚さは、平均少なくとも１４０ミクロンである。いくつかのバリエーションでは、ポリマーコーティングの厚さは、平均少なくとも１５０ミクロンである。いくつかのバリエーションでは、ポリマーコーティングの厚さは、平均少なくとも１７５ミクロンである。いくつかのバリエーションでは、ポリマーコーティングの厚さは、平均少なくとも２００ミクロンである。
【０１３３】
ポリマーコーティングは、セラミックコーティングされた無機断熱材料に、更に改善された耐摩耗性、引っ張り強度及びせん断強度を提供することができる。一例では、約７０ミクロンのコーティング厚さを有するポリウレタンポリマーが、ヒュームドシリカ、ＳｉＣ及びＳｉＯ2繊維の組み合わせから形成された無機断熱材料に適用される。この組み合わせは、良好な耐引っかき性、取り扱いの容易さ、及び接着性を提供することができる。測定された約１４０ミクロンのポリマーコーティング厚さは、耐摩耗性を提供することができる。
【０１３４】
いくつかのバリエーションでは、ポリマーコーティングは、無機断熱材料の全ての面及びエリアにおいて同じ厚さである。他のバリエーションでは、ポリマーコーティングは、無機断熱材料の異なる面又はエリアにおいて異なる厚さを有する。例えば、ポリマーコーティングは、約１４０ミクロンの厚さで無機断熱材料の１つ以上の面上に配置され得るが、ポリマーコーティングは、約７０ミクロンの厚さで無機断熱材料の縁部に配置され得る。無機断熱材料の面上のより厚いポリマーコーティング（例えば、１４０ミクロン）は、耐摩耗性を提供することができる。無機断熱材料の縁部上のより薄いポリマーコーティング（例えば、７０ミクロン）は、材料の縁部を通る熱伝達を低減することができる。あるいは、ポリマーコーティングは、無機断熱材料の異なる面上で異なる厚さを有することができる。
【０１３５】
様々な態様では、ポリマーコーティングは、無機断熱材料への他の成分の接着を提供することができる。例えば、ポリマーコーティングは、無機断熱材料の表面に保護シートを接着することができる。当技術分野で既知の他の成分も同様に使用され得る。
【０１３６】
様々な態様では、無機断熱材料の表面に配置されたポリマーコーティングは、無機断熱材料の引っ張り強度を超える改善された引っ張り強度を提供することができる。ポリマーコーティングは、無機断熱材料の縁部からの微多孔質材料の材料損失を低減することもできる。
【０１３７】
ポリマーコーティングは、当技術分野で既知の様々な方法を用いて無機断熱材料に適用され得る。非限定的な方法は、スプレーコーティング、浸漬コーティング、フローコーティング、及びナイフコーティングの方法を含む。
【０１３８】
様々な非限定的な方法では、無機断熱材料の表面をコーティング組成物に暴露して、無機断熱材料の表面上にポリマーコーティングを形成することができる。ポリマーコーティングを、無機断熱材料中に少なくとも平均１０ミクロン浸透させる。次いで、ポリマーコーティングを固化させる。本明細書に記載の任意のバリエーションにおけるポリマーコーティングの付加に先立って、無機断熱材料に、繊維状材料及び乳白剤などの他の成分を添加し得ることが認識されよう。
【０１３９】
様々な態様では、コーティング組成物は、ポリマーを形成するのに使用される化合物を含むことができる。いくつかの例では、コーティング組成物は、モノマーなどのポリマー前駆体を含むことができる。いくつかの例では、コーティング組成物は、ポリマーを含むことができる。コーティング組成物は、組成物を製造するのに使用される任意の化合物を含むことができる。コーティング組成物はまた、コーティング組成物の粘度を変化させ得る添加剤を含む添加剤も含むことができる。
【０１４０】
いくつかのバリエーションでは、無機断熱材料は、コーティング組成物でスプレーコーティングされ得る。スプレーコーティングは、様々な方法の任意のものによって達成され得る。例えば、１つ、２つ、又はそれ以上の低容量高圧（ＬＶＨＰ）又は高容量低圧（ＨＶＬＰ）のスプレー源（例えば、スプレーガン）を使用することができる。スプレー源は無機断熱材料からある距離に配置され得る。いくつかの場合には、スプレー源は３０〜４０ｃｍの距離にある。いくつかの場合には、スプレー源は１０〜１５ｃｍの距離にある。任意選択で、コーティングされた表面は、周囲温度及び圧力にある時間期間（例えば１０〜２０分）設定され得る。
【０１４１】
いくつかのバリエーションでは、コーティングされた表面は硬化される。ポリマーコーティングに依存して、ポリマーコーティングは、室温で又は熱硬化によって硬化され得る。更に、任意選択で、体積及び圧力の異なる組み合わせ、及び／又は異なる粘度で複数のスプレーコーティングを適用することができる。
【０１４２】
無機断熱材料の異なる表面は、コーティング組成物によってコーティングすることができる。既にコーティングされた表面は、異なる表面がコーティングされるようにマスキングすることができる。更に、異なる表面を、異なる平均浸透深さに、又は異なるポリマーコーティングによってもコーティングすることができる。
【０１４３】
スプレー源、コーティング組成物の量、コーティング組成物の粘度、及び他の要因を調節して、ポリマーコーティングの様々な態様を制御し得ることが、当業者に認識されよう。例えば、コーティング組成物の量の増加は、一般に、無機断熱材料の表面上のポリマーコーティングの平均厚さを増加させる。コーティング組成物の粘度を増加させることにより、ポリマーコーティングの無機断熱材料中への浸透深さを減少させることができる。硬化時間及び温度は調節され得る。
【０１４４】
いくつかのバリエーションでは、布、ガラス繊維、又はプラスチック被覆をポリマーコーティングされた絶縁体の上に配置して、ポリマーコーティングされた絶縁体にしっかりと保持することができる（例えば、真空封止によって）。継ぎ目に追加の被覆材料を使用して、封止を可能にすることができる。
【０１４５】
いくつかのバリエーションでは、ポリマーコーティングは、無機断熱材料のための水分バリアとして作用することができる。例えば、水不浸透性のポリマーコーティングを用いることができる。それにより、水不浸透性ポリマーコーティングは、無機断熱材料から水をはじくことができる。無機断熱材料が水感受性又は水溶性である場合、ポリマーコーティングは、水が水感受性の無機断熱材料に侵入するのを抑制することができる。
【０１４６】
いくつかの追加のバリエーションでは、ポリマーコーティングは、脆性絶縁体材料又は脆い絶縁体材料などの他の絶縁体材料上に配置され得る。ポリマーコーティングは、無機断熱材料について本明細書に記載のように、他の絶縁体上に配置され得る。絶縁体は、バッテリ用途に限定されず、あらゆる用途に使用され得ることが認識されよう。無機断熱材料及び他の構成要素は、本開示に記載の任意の無機断熱材料であり得ることが、更に認識されよう。
ＩＩＩ．繊維状材料
【０１４７】
様々な態様では、絶縁体は、繊維状材料を含むことができる。様々な態様では、繊維状材料は、ガラス繊維、セラミック繊維、シリカ繊維、炭化ケイ素繊維、炭素繊維、カーボンナノチューブ、及び当技術分野で既知の他の繊維状材料を含むことができる。繊維状材料は、無機断熱材料と結合され得る。あるいは、繊維状材料は、製剤中に乳白剤（以下に記載される）と結合され得る。特定の機構又は作用モードに拘束されることを望むことなく、繊維状材料は無機断熱材料に機械的強度を付与することができる。
【０１４８】
いくつかの実施形態では、乳白剤は、繊維状材料を含むことができる。これらの実施形態では、繊維状材料は輻射熱伝達を低減することができる。繊維状材料は、絶縁体に機械的強度を付与することもできる。繊維状材料の非限定的な例としては、炭化ケイ素繊維、炭素繊維、及びカーボンナノチューブが挙げられる。他の繊維状材料が可能である。
ＩＶ．乳白剤
【０１４９】
様々な態様では、乳白剤は、近赤外から長波長の赤外線波長（すなわち、約０．７〜１５μｍ）で電磁放射線を吸収又は散乱し、絶縁体が放射熱の伝播を妨げることを可能にする。乳白剤は、２５０℃を超える温度で１×１０4ｍ-1を超える平均吸光係数を有することができる。
【０１５０】
例として、限定なしに、断熱材料を炭素質乳白剤と混合して輻射熱伝達を低減することができる。本明細書に記載の無機断熱材料を含む任意の断熱材料が使用され得る。したがって、絶縁体は、約１００℃を超える温度での輻射熱伝達の減少を経験することができる。対応する熱伝導率の減少は、１００℃で０．０１Ｗ／（ｍ・Ｋ）を超え得る。様々な実施形態では、炭素質乳白剤は耐熱材料でコーティングされて酸素が炭素質乳白剤と接触するのを防ぎ、それによって炭素質材料の酸化を抑制する。
【０１５１】
いくつかのバリエーションでは、乳白剤は黒鉛などの炭素質材料である。炭素質材料は、ＳｉＣ、ＴｉＯ2、又はＡｌ2Ｏ3などの他の乳白剤よりも、赤外線領域で、単位質量あたり、１桁高い吸光係数を有することができる。炭素質材料を用いることにより、絶縁体の熱伝導率を向上させることができる。例えば、限定なしに、ＳｉＣの代わりに黒鉛を使用することにより、８００℃で５０％だけ熱伝導率を低下させることができる。
【０１５２】
いくつかのバリエーションでは、炭素質材料は、少なくとも８０％の炭素を含むことができる。いくつかのバリエーションでは、炭素質材料は、少なくとも８５％の炭素を含むことができる。いくつかのバリエーションでは、炭素質材料は、少なくとも９０％の炭素を含むことができる。いくつかのバリエーションでは、炭素質材料は、少なくとも９５％の炭素を含むことができる。
【０１５３】
追加のバリエーションでは、図示として限定ではなく、炭素質材料は、任意の１つの寸法においても少なくとも２０ｎｍの平均粒子径を有することができる。別のバリエーションでは、炭素質材料は、任意の１つの寸法において少なくとも５０ｎｍの平均粒子径を有することができる。別のバリエーションでは、炭素質材料は、任意の１つの寸法において少なくとも１００ｎｍの平均粒子径を有することができる。別のバリエーションでは、炭素質材料は、任意の１つの寸法において少なくとも２００ｎｍの平均粒子径を有することができる。別のバリエーションでは、炭素質材料は、任意の１つの寸法において少なくとも５００ｎｍの平均粒子径を有することができる。別のバリエーションでは、炭素質材料は、任意の１つの寸法において少なくとも１ミクロンの平均粒子径を有することができる。別のバリエーションでは、炭素質材料は、任意の１つの寸法において少なくとも５ミクロンの平均粒子径を有することができる。別のバリエーションでは、炭素質材料は、任意の１つの寸法において少なくとも１０ミクロンの平均粒子径を有することができる。別のバリエーションでは、炭素質材料は、任意の１つの寸法において少なくとも１５ミクロンの平均粒子径を有することができる。
【０１５４】
追加のバリエーションでは、図示として限定ではなく、炭素質材料は、任意の１つの寸法において２０ミクロン以下平均粒子径を有することができる。別のバリエーションでは、炭素質材料は、任意の１つの寸法において１５ミクロン以下の平均粒子径を有することができる。別のバリエーションでは、炭素質材料は、任意の１つの寸法において１０ミクロン以下の平均粒子径を有することができる。別のバリエーションでは、炭素質材料は、任意の１つの寸法において５ミクロン以下の平均粒子径を有することができる。別のバリエーションでは、炭素質材料は、任意の１つの寸法において１ミクロン以下の平均粒子径を有することができる。別のバリエーションでは、炭素質材料は、任意の１つの寸法において５００ｎｍ以下の平均粒子径を有することができる。別のバリエーションでは、炭素質材料は、任意の１つの寸法において２００ｎｍ以下の平均粒子径を有することができる。別のバリエーションでは、炭素質材料は、任意の１つの寸法において１００ｎｍ以下の平均粒子径を有することができる。別のバリエーションでは、炭素質材料は、任意の１つの寸法において５０ｎｍ以下の平均粒子径を有することができる。別のバリエーションでは、炭素質材料は、任意の１つの寸法において２０ｎｍ以下の平均粒子径を有することができる。
【０１５５】
いくつかのバリエーションでは、乳白剤は炭素質材料を含む。炭素質材料は、耐熱材料でコーティングされて、炭素酸化温度における炭素質材料の酸化を抑制することができる。耐熱材料がない場合、炭素酸化温度は４００℃を超えることができる。耐熱材料でコーティングされた場合、炭素酸化温度は６００℃を超えることができる。耐熱材料でコーティングされた場合、炭素酸化温度は８００℃を超えることができる。耐熱材料でコーティングされた場合、炭素酸化温度は１０００℃を超えることができる。いくつかのバリエーションでは、耐熱コーティングされた炭素の酸化温度は６００〜１２００℃、又はそれ以上であることができる。炭素質材料は、黒鉛、カーボンブラック、カーボンナノチューブ又はグラフェンであることができる。
【０１５６】
いくつかのバリエーションでは、耐熱コーティングは、炭素質材料に共有結合される。特定の機構又は作用モードに限定されることを望むことなく、炭素質材料を改質して官能基（例えば、酸素含有官能基）を形成することができる。官能基は、耐熱材料に共有結合され得る。
【０１５７】
絶縁体は、断熱材料及び耐熱コーティングされた炭素質乳白剤を含み得ることが認識されよう。断熱材料は、本明細書に開示の無機断熱材料を含むが、これに限定されず、当技術分野で開示されている任意の断熱材であることができる。耐熱コーティングされた炭素乳白剤は、絶縁体に組み込まれる必要がなく、又は絶縁体とは独立して使用され得ることが認識されよう。本明細書に記載の乳白剤は、本明細書に記載の絶縁体の不存在下で使用され得ることも認識されよう。
【０１５８】
いくつかのバリエーションでは、絶縁体は、５０重量％以下の乳白剤を含むことができる。いくつかのバリエーションでは、絶縁体は、４０重量％以下の乳白剤を含むことができる。いくつかのバリエーションでは、絶縁体は、３０重量％以下の乳白剤を含むことができる。いくつかのバリエーションでは、絶縁体は、２０重量％以下の乳白剤を含むことができる。いくつかのバリエーションでは、絶縁体は、１０重量％以下の乳白剤を含むことができる。
【０１５９】
いくつかの例では、炭素質材料は、高アスペクト比を有し、それは、放射線吸収を増加させ、絶縁体に機械的強度を提供することができる。アスペクト比は５：１を超えることができる（例えば、ロッド形状の炭素体）。更に、いくつかの場合、アスペクト比は１０：１を超える。いくつかの場合、アスペクト比は１５：１を超える。いくつかの場合、アスペクト比は２０：１を超える。いくつかの場合、アスペクト比は１００：１を超える。いくつかの場合、アスペクト比は２５０：１を超える。いくつかの場合、アスペクト比は１００：１を超える。いくつかの場合、アスペクト比は５００：１を超える。いくつかの場合、アスペクト比は７５０：１を超える。いくつかの場合、アスペクト比は１００：１を超える。いくつかの場合、アスペクト比は１０００：１を超える。いくつかの場合、アスペクト比は２０００：１を超える。
【０１６０】
いくつかの実施形態では、赤外線吸収材料は、高い引っ張り強度を有するカーボンナノチューブを含むことができる。これらの実施形態では、カーボンナノチューブの表面が酸化されて熱伝導性を低下させる。カーボンナノチューブは、特定のキラリティ、特定の数の壁、又はその両方で選択されて、熱伝導立を低下させることができる。
【０１６１】
いくつかの実施形態では、絶縁体は、無機断熱材料（例えば、ＳｉＯ2、Ａｌ2Ｏ3など）でコーティングされた赤外線吸収材料（例えば、炭素質材料）を含んで、赤外線吸収粒子間の接触による熱伝導を緩和することができる。
【０１６２】
一例では、Ａｌ2Ｏ3コーティングされた炭素乳白剤は、原子層堆積によって調製される。コーティングされていない炭素を１８０℃で乾燥させた。６サイクルのＡＬＤアルミナを５０℃で流動炭素上にコーティングした。次いで、流動炭素を再び１８０℃に上昇させて乾燥させた。１６の追加のサイクルのＡＬＤアルミナを基板上にコーティングして全２２コーティングサイクルとした。
【０１６３】
いくつかのバリエーションでは、乳白剤は、絶縁体中の固体成分（すなわち、絶縁体中の無機断熱材料、繊維状材料、乳白剤、及び任意の他の固体成分の合計）の０．０５重量％を超える。いくつかのバリエーションでは、乳白剤は、絶縁体中の固体成分の０．２５重量％を超える。いくつかのバリエーションでは、乳白剤は、絶縁体中の固体成分の０．５０重量％を超える。いくつかのバリエーションでは、乳白剤は、絶縁体中の固体成分の０．７５重量％を超える。いくつかのバリエーションでは、乳白剤は、絶縁体中の固体成分の１．０重量％を超える。いくつかのバリエーションでは、乳白剤は、絶縁体中の固体成分の２．５重量％を超える。いくつかのバリエーションでは、乳白剤は、絶縁体中の固体成分の３．０重量％を超える。いくつかのバリエーションでは、乳白剤は、絶縁体中の固体成分の３．５重量％を超える。いくつかのバリエーションでは、乳白剤は、絶縁体中の固体成分の４．０重量％を超える。いくつかのバリエーションでは、乳白剤は、絶縁体中の固体成分の４．５重量％を超える。いくつかのバリエーションでは、乳白剤は、絶縁体中の固体成分の５．０重量％を超える。
【０１６４】
別の例では、絶縁体は、８０．８：３：１６．２のヒュームドシリカ：炭素乳白剤：シリカ繊維の重量比で製造される。ヒュームドシリカは無機断熱材料であり、コーティングされた炭素は乳白剤であり、シリカ繊維は繊維状材料であった。混合物は、標準的な微多孔質絶縁体より長い、合計３５分間混合された。
【０１６５】
乳白剤の機能性のために、絶縁体は、炭素質材料に加えて又はその代わりに材料を含むことができることが理解されよう。いくつかの実施形態では、絶縁体は酸化鉄チタン（例えば、ＦｅＴｉＯ3）を含む。酸化鉄チタンは、絶縁体に乳白剤効果を生じさせる赤外線吸収材料として機能することができる。無機断熱材料だけに対して、酸化鉄チタンの存在は、混合材料のバルク熱伝導率を低下させることができる。
【０１６６】
いくつかの実施形態では、絶縁体は、高アスペクト比（例えば、ロッド又はプレート）を有する赤外線吸収材料を含む。これらの実施形態では、高アスペクト比は、絶縁体が球状粒子だけに対してより高い有効赤外吸収を呈することを可能にする。このような材料の非限定的な例としては、金属材料、炭化ケイ素材料、及び酸化チタン材料が挙げられる。金属酸化物、炭化物、塩化物、又は、耐熱金属を含む他の材料が可能である。これらの材料は、繊維、ロッド、及びプレートなどの様々な形態を呈することができる。
【０１６７】
いくつかの実施形態では、乳白剤材料は、金属フレークを含むことができる。そのような実施形態では、金属フレークは、絶縁体中に優先配向させて組み込まれ得る。例えば、限定なしに、薄い寸法の金属フレークは、絶縁体（例えば、シート状の）の平面に対して垂直であり、それによって低い面貫通導電率及び高い面内導電率を提供することができる。
【０１６８】
一態様では、本開示は、エアロゲル粒子及び複数のコーティングされた炭素粒子を含む絶縁組成物に関する。様々な態様では、コーティングされた炭素粒子は、エアロゲル粒子内に分布している。
【０１６９】
各コーティングされた炭素粒子は、炭素質材料上に配置された耐熱材料を含む。炭素粒子は、赤外線放射を吸収することにより、乳白剤として作用する。炭素粒子は、当技術分野で既知の任意のタイプの炭素粒子を含み、黒鉛、カーボンブラック、カーボンナノチューブ、グラフェン、及びそれらの組み合わせを含むことができるが、これらに限定されない。炭素粒子上に配置された耐熱材料は、耐熱性であり、炭素粒子を周囲環境から遮蔽することができる。特定の機構又は作用モードに拘束されることを望むものではなく、耐熱材料は、高温（例えば、５００℃以上）で炭素粒子の酸化を抑制する。したがって、コーティングされた炭素粒子は、周囲温度及び高温の両方で乳白剤として作用する。
【０１７０】
様々な態様では、耐熱材料は、シリカ、アルミナ、チタニア、ニッケル、窒化ホウ素、ジルコニア、及びＡｌＦ3などの材料を含むことができるが、これらに限定されない。いくつかの態様では、耐熱材料は単一の材料を含むことができる。他の態様では、コーティング層は、複数の材料を含むことができる。更に、コーティングされた炭素粒子は、複数の耐熱材料を含み得ることが認識されよう。いくつかのバリエーションでは、コーティングされた炭素粒子は粉末の形態であることができる。
【０１７１】
コーティングされた炭素粒子は、当業者に既知の方法を用いて製造され得る。炭素粒子の表面にコーティング層を配置する非限定的なプロセスには、原子層堆積、化学蒸着、及び懸濁液からの溶液コーティングが含まれる。
【０１７２】
絶縁組成物は、バッテリセル間の絶縁体として使用され得る。様々な非限定的な実施形態では、エアロゲルコーティング炭素絶縁組成物は、本明細書に記載のように、絶縁体と同じ方法でバッテリセルの絶縁体として使用され得る。例えば、組成物は、複数セルバッテリパック内の個々のバッテリセルの熱分離又は絶縁における絶縁体として使用され得る。
【０１７３】
前述の記載では、記載した実施形態について十分な理解をもたらすため、説明のために特定の専門用語を用いた。しかしながら、記載した実施形態を実施するために、特定の詳細は必要でないことが、当業者には明らかであろう。したがって、本明細書に記載の特定の実施形態についての前述の記載は、例示及び説明のために提示されている。それらは網羅的であること、又は実施形態を開示された正確な形態に限定することを目的としたものではない。上記の教示を考慮すれば、多くの変更及びバリエーションが可能であることが、当業者には明らかであろう。
【図１Ａ】
2020170707.tif 000009
【図１Ｂ】
2020170707.tif 000010
【図１Ｃ】
2020170707.tif 000011
【図１Ｄ】
2020170707.tif 000012
【図２】
2020170707.tif 000013
【図３】
2020170707.tif 000014
【図４】
2020170707.tif 000015
【図５】
2020170707.tif 000016
【図６】
2020170707.tif 000017
【図７】
2020170707.tif 000018
【図８】
2020170707.tif 000019
【図９】
2020170707.tif 000020
【手続補正書】
【提出日】令和2年6月30日(2020.6.30)
【手続補正１】
【補正対象書類名】特許請求の範囲
【補正対象項目名】全文
【補正方法】変更
【補正の内容】
【特許請求の範囲】
【請求項１】
第１のバッテリセルと、
第２のバッテリセルと、
前記第１のバッテリセルと前記第２のバッテリセルとの間に配置された絶縁体と、を備える装置であって、
前記絶縁体は、
多孔質構造を有する無機断熱材料と、
前記第１及び第２のバッテリセルが熱的事象を受けたときに揮発するバインダであって、前記バインダは前記多孔質構造内に配置されたバインダと、を備え、
前記絶縁体は少なくとも１０体積％の前記バインダを含み、
前記絶縁体の熱伝導率は、前記バインダの揮発後に、２５℃で０．０５Ｗ／ｍ・Ｋ未満であり、
前記絶縁体の熱伝導率は、前記バインダの揮発前に、２５℃で０．１Ｗ／ｍ・Ｋを超える、装置。
【請求項２】
前記多孔質構造は、５００ｎｍ未満の平均細孔径を有する、請求項１に記載の装置。
【請求項３】
前記無機断熱材料は、ヒュームドシリカを含む、請求項１に記載の装置。
【請求項４】
前記無機断熱材料は、シリカエアロゲルを含む、請求項１に記載の装置。
【請求項５】
前記バインダは、ポリプロピレンカーボネートである、請求項１に記載の装置。
【請求項６】
前記絶縁体は、前記バインダの少なくとも２０体積％を有する、請求項１に記載の装置。
【請求項７】
前記絶縁体は、前記バインダの少なくとも５０体積％を有する、請求項１に記載の装置。
【請求項８】
前記絶縁体は、前記バインダの少なくとも７０体積％を有する、請求項１に記載の装置。
【請求項９】
前記バインダは、１気圧で５００℃以下の温度で揮発する、請求項１に記載の装置。
【請求項１０】
前記無機断熱材料と接触する繊維状材料を更に備える、請求項１に記載の装置。
【請求項１１】
前記バインダは、１気圧で３００℃以下の温度で揮発する、請求項１に記載の装置。
【請求項１２】
前記バインダは、１気圧で２５０℃以下の温度で揮発する、請求項１に記載の装置。
【請求項１３】
前記バインダは、１気圧で２００℃以下の温度で揮発する、請求項１に記載の装置。
【請求項１４】
前記バインダは、１気圧で１７５℃以下の温度で揮発する、請求項１に記載の装置。
【請求項１５】
前記バインダは、１気圧で１５０℃以下の温度で揮発する、請求項１に記載の装置。
【請求項１６】
前記絶縁体は、前記熱的事象を受けた後で、０．１５ｇ／ｍＬ以上の密度を有する、請求項１に記載の装置。
【請求項１７】
前記絶縁体は、前記熱的事象を受けた後で、２５℃で０．４Ｗ／ｍ・Ｋ以下の熱伝導率を有する０．１５ｇ／ｍＬ以上の密度を有する、請求項１に記載の装置。
【請求項１８】
前記無機断熱材料と接触する繊維状材料を備える、請求項１に記載の装置。
【請求項１９】
前記繊維状材料は、グラスファイバ、セラミックファイバ、シリカファイバから選択される、請求項１８に記載の装置。
【請求項２０】
前記繊維状材料は、グラスファイバを含む、請求項１９に記載の装置。
【請求項２１】
炭化ケイ素、チタニア、又は炭素質材料を含む乳白剤を備える、請求項１に記載の装置。
【請求項２２】
前記乳白剤は、炭化ケイ素を含む、請求項２１に記載の装置。
【請求項２３】
前記乳白剤は、チタニアを含む、請求項２１に記載の装置。
【請求項２４】
前記絶縁体は、前記熱的事象の後より、前記熱的事象の前で、より大きな機械的強度を有する、請求項１に記載の装置。
【請求項２５】
前記機械的強度は、曲げ強度であり、
前記曲げ強度は、前記熱的事象の後より、前記熱的事象の前で１０倍以上大きい、請求項２４に記載の装置。
【外国語明細書】
2020170707000001.pdf